(57)【特許請求の範囲】
【請求項１】
移動体通信ネットワークとは異なる無線通信ネットワークへの無線通信端末の接続に関連する所定の条件が満たされるかの判定の結果を取得する取得部と、
前記所定の条件が満たされる場合に、前記移動体通信ネットワークを介して通信する移動体通信端末に動作モードを第１のモードから第２のモードに切り替えさせる制御を行う制御部と、
を備え、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードであり、
前記移動体通信端末は、前記無線通信端末に関連付けられ、
前記所定の条件は、前記移動体通信端末の移動の状況に基づいて判定される条件を含む、通信制御装置。
【請求項２】
前記制御は、前記第１のモードから前記第２のモードへの前記動作モードの切替えを要求するメッセージの前記移動体通信端末への送信をトリガすることである、請求項１に記載の通信制御装置。
【請求項３】
前記メッセージは、前記移動体通信ネットワークを介して前記移動体通信端末へ送信されるメッセージである、請求項２に記載の通信制御装置。
【請求項４】
前記移動体通信端末及び前記無線通信端末は、前記第１の無線通信方式とは異なる第２の無線通信方式もサポートし、
前記メッセージは、前記第２の無線通信方式で前記無線通信端末から前記移動体通信端末へ送信されるメッセージである、
請求項２に記載の通信制御装置。
【請求項５】
前記第２の無線通信方式は、近距離無線通信の通信方式である、請求項４に記載の通信制御装置。
【請求項６】
前記制御部は、前記所定の条件が満たされる場合に、前記無線通信端末に前記無線通信ネットワークを介した第１の通信から前記移動体通信端末及び前記移動体通信ネットワークを介した第２の通信へ通信を切り替えさせるさらなる制御を行う、請求項１に記載の通信制御装置。
【請求項７】
前記さらなる制御は、前記第１の通信から前記第２の通信への通信の切替えを要求するメッセージの前記無線通信端末への送信をトリガすることである、請求項６に記載の通信制御装置。
【請求項８】
前記通信制御装置は、前記移動体通信ネットワークの通信ノードを構成する装置である、請求項１に記載の通信制御装置。
【請求項９】
前記通信制御装置は、前記無線通信ネットワークの通信ノードを構成する装置である、請求項１に記載の通信制御装置。
【請求項１０】
前記通信制御装置は、前記無線通信端末である、請求項１に記載の通信制御装置。
【請求項１１】
前記通信制御装置は、前記移動体通信端末である、請求項１に記載の通信制御装置。
【請求項１２】
前記所定の条件は、前記無線通信ネットワークへの前記無線通信端末の接続の状態に基づいて判定される条件である、請求項１に記載の通信制御装置。
【請求項１３】
前記所定の条件は、前記無線通信ネットワークにおける前記無線通信端末の通信についての通信品質に基づいて判定される条件である、請求項１に記載の通信制御装置。
【請求項１４】
前記通信品質は、前記無線通信ネットワークで前記無線通信端末が送信し又は受信する信号の受信強度、前記無線通信ネットワークにおける前記無線通信端末の通信についてのエラーレート、及び前記無線通信ネットワークにおける前記無線通信端末の通信についての再送回数のうちの、少なくとも１つを含む、請求項１３に記載の通信制御装置。
【請求項１５】
前記無線通信ネットワークは、無線ローカルエリアネットワーク（ＷＬＡＮ）である、請求項１に記載の通信制御装置。
【請求項１６】
前記第１の無線通信方式は、無線ローカルエリアネットワーク（ＷＬＡＮ）のための無線通信方式である、請求項１に記載の通信制御装置。
【請求項１７】
移動体通信ネットワークとは異なる無線通信ネットワークへの無線通信端末の接続に関連する所定の条件が満たされるかの判定の結果を取得することと、
前記所定の条件が満たされる場合に、前記移動体通信ネットワークを介して通信する移動体通信端末に動作モードを第１のモードから第２のモードに切り替えさせる制御をプロセッサにより行うことと、
を含み、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードであり、
前記移動体通信端末は、前記無線通信端末に関連付けられ、
前記所定の条件は、前記移動体通信端末の移動の状況に基づいて判定される条件を含む、通信制御方法。
【請求項１８】
プログラムを記憶するメモリと、
前記プログラムを実行可能な１つ以上のプロセッサと、
を備え、
前記プログラムは、
移動体通信ネットワークとは異なる無線通信ネットワークへの無線通信端末の接続に関連する所定の条件が満たされるかの判定の結果を取得することと、
前記所定の条件が満たされる場合に、前記移動体通信ネットワークを介して通信する移動体通信端末に動作モードを第１のモードから第２のモードに切り替えさせる制御を行うことと、
を実行させるためのプログラムであり、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードであり、
前記移動体通信端末は、前記無線通信端末に関連付けられ、
前記所定の条件は、前記移動体通信端末の移動の状況に基づいて判定される条件を含む、情報処理装置。
【発明の詳細な説明】
【技術分野】
【０００１】
本開示は、通信制御装置、通信制御方法及び情報処理装置に関する。
【背景技術】
【０００２】
近年、無線ローカルエリアネットワーク（ＷＬＡＮ：Wireless  Local  Area  Network）の通信機能を有する機器が広く普及している。当該機器の例として、移動体通信サービスでの移動体通信機能も有するスマートフォンをはじめ、パーソナルコンピュータ（ＰＣ：Personal  Computer）、タブレット端末、携帯ゲーム機、デジタルカメラ、プリンタ等の様々な機器が挙げられる。
【０００３】
一般的に、ＷＬＡＮ通信の機能を有する機器は、ＷＬＡＮに接続し、当該ＷＬＡＮ経由でデータの送受信を行う。換言すると、上記機器は、上記ＷＬＡＮのアクセスポイント経由でデータの送受信を行う。また、ＷＬＡＮ（あるいはアクセスポイント）を経由しない通信の例として、上記機器は、例えば、移動体通信端末に接続し、当該移動体通信端末及び移動体通信ネットワーク経由でデータの送受信を行う。即ち、上記機器は、テザリングによりデータの送受信を行う。このようなテザリングについて様々な技術が提案されている。
【０００４】
例えば、特許文献１には、テザリングで中継を行う装置の充電量が低下したとしても、中継先の装置による通信の継続を可能にする技術が開示されている。
【先行技術文献】
【特許文献】
【０００５】
【特許文献１】特開２０１３−１９７７５６号公報
【発明の概要】
【発明が解決しようとする課題】
【０００６】
上述したようなＷＬＡＮ（あるいはアクセスポイント）経由での通信は、一般的に、限定されたエリア（即ち、ＷＬＡＮの通信エリア）でしか行うことができないので、ＷＬＡＮの通信機能を有する機器は、上記エリアの外に移動すると、ＷＬＡＮ経由で通信できなくなる。そのため、ＷＬＡＮ経由での通信からテザリングによる通信への速やかな切替えが可能であることが望ましい。
【０００７】
例えば、上記機器による上記速やかな切替えのために移動体通信端末がＷＬＡＮ通信についての動作モードを通常モードに維持しておくことが考えられる。しかし、移動体通信端末が、上記動作モードを通常モードに維持しておくと、消費電力が大きくなり得る。一方、例えば、移動体通信端末が、ＷＬＡＮ通信の動作モードを停止モード又は省電力モードにしておくと、上記機器は、ＷＬＡＮ経由での通信からテザリングによる通信へ通信を速やかに切り替えることができない。
【０００８】
そこで、移動体通信端末の消費電力を抑えつつ通信を速やかに切り替えることを可能にする仕組みが提供されることが望ましい。
【課題を解決するための手段】
【０００９】
本開示によれば、移動体通信ネットワークとは異なる無線通信ネットワークへの無線通信端末の接続に関連する所定の条件が満たされるかの判定の結果を取得する取得部と、上記所定の条件が満たされる場合に、上記移動体通信ネットワークを介して通信する移動体通信端末に動作モードを第１のモードから第２のモードに切り替えさせる制御を行う制御部と、を備える通信制御装置が提供される。上記動作モードは、上記無線通信端末及び上記移動体通信端末がサポートする第１の無線通信方式での通信についての動作モードである。上記第１のモードは、上記第２のモードより消費電力が小さいモードであり、上記第２のモードは、上記移動体通信端末が上記第１の無線通信方式でデータを送信し又は受信することが可能なモードである。
【００１０】
また、本開示によれば、移動体通信ネットワークとは異なる無線通信ネットワークへの無線通信端末の接続に関連する所定の条件が満たされるかの判定の結果を取得することと、上記所定の条件が満たされる場合に、上記移動体通信ネットワークを介して通信する移動体通信端末に動作モードを第１のモードから第２のモードに切り替えさせる制御をプロセッサにより行うことと、を含む通信制御方法が提供される。上記動作モードは、上記無線通信端末及び上記移動体通信端末がサポートする第１の無線通信方式での通信についての動作モードである。上記第１のモードは、上記第２のモードより消費電力が小さいモードであり、上記第２のモードは、上記移動体通信端末が上記第１の無線通信方式でデータを送信し又は受信することが可能なモードである。
【００１１】
また、本開示によれば、プログラムを記憶するメモリと、上記プログラムを実行可能な１つ以上のプロセッサと、を備える情報処理装置が提供される。上記プログラムは、移動体通信ネットワークとは異なる無線通信ネットワークへの無線通信端末の接続に関連する所定の条件が満たされるかの判定の結果を取得することと、上記所定の条件が満たされる場合に、上記移動体通信ネットワークを介して通信する移動体通信端末に動作モードを第１のモードから第２のモードに切り替えさせる制御を行うことと、を実行させるためのプログラムである。上記動作モードは、上記無線通信端末及び上記移動体通信端末がサポートする第１の無線通信方式での通信についての動作モードである。上記第１のモードは、上記第２のモードより消費電力が小さいモードであり、上記第２のモードは、上記移動体通信端末が上記第１の無線通信方式でデータを送信し又は受信することが可能なモードである。
【発明の効果】
【００１２】
以上説明したように本開示によれば、移動体通信端末の消費電力を抑えつつ通信を速やかに切り替えることが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】テザリングによる通信の例を説明するための説明図である。
【図２】ＷＬＡＮ経由での通信の例を説明するための説明図である。
【図３】本開示の第１の実施形態に係る通信システムの概略的な構成の一例を示す説明図である。
【図４】第１の実施形態に係る通信ノードの構成の一例を示すブロック図である。
【図５】第１の実施形態に係る通信制御処理の概略的な流れの一例を示すシーケンス図である。
【図６】第１の実施形態に係る判定処理の概略的な流れの一例を示すフローチャートである。
【図７】第１の実施形態の変形例に係る通信制御処理の概略的な流れの第１の例を示すシーケンス図である。
【図８】第１の実施形態の変形例に係る通信制御処理の概略的な流れの第２の例を示すシーケンス図である。
【図９】本開示の第２の実施形態に係る通信システムの概略的な構成の一例を示す説明図である。
【図１０】第２の実施形態に係る通信ノードの構成の一例を示すブロック図である。
【図１１】第２の実施形態に係る通信制御処理の概略的な流れの一例を示すシーケンス図である。
【図１２】第２の実施形態の変形例に係る通信制御処理の概略的な流れの第１の例を示すシーケンス図である。
【図１３】第２の実施形態の変形例に係る通信制御処理の概略的な流れの第２の例を示すシーケンス図である。
【図１４】本開示の第３の実施形態に係る通信システムの概略的な構成の一例を示す説明図である。
【図１５】第３の実施形態に係る無線通信端末の構成の一例を示すブロック図である。
【図１６】第３の実施形態に係る通信制御処理の概略的な流れの一例を示すシーケンス図である。
【図１７】第３の実施形態に係る判定処理の概略的な流れの一例を示すフローチャートである。
【図１８】第３の実施形態の変形例に係る通信制御処理の概略的な流れの一例を示すシーケンス図である。
【図１９】第３の実施形態の変形例に係る判定処理の概略的な流れの一例を示すフローチャートである。
【図２０】本開示の第４の実施形態に係る通信システムの概略的な構成の一例を示す説明図である。
【図２１】第４の実施形態に係る移動体通信端末の構成の一例を示すブロック図である。
【図２２】第４の実施形態に係る通信制御処理の概略的な流れの一例を示すシーケンス図である。
【図２３】第４の実施形態の変形例に係る通信制御処理の概略的な流れの一例を示すシーケンス図である。
【図２４】本開示に係る技術が適用され得るサーバの概略的な構成の一例を示すブロック図である。
【図２５】本開示に係る技術が適用され得るｅＮＢの概略的な構成の第１の例を示すブロック図である。
【図２６】本開示に係る技術が適用され得るｅＮＢの概略的な構成の第２の例を示すブロック図である。
【図２７】本開示に係る技術が適用され得る無線アクセスポイントの概略的な構成の一例を示すブロック図である。
【図２８】本開示に係る技術が適用され得るスマートフォンの概略的な構成の一例を示すブロック図である。
【図２９】本開示に係る技術が適用され得るカーナビゲーション装置の概略的な構成の一例を示すブロック図である。
【図３０】本開示に係る技術が適用され得るタブレット端末の概略的な構成の一例を示すブロック図である。
【図３１】本開示に係る技術が適用され得るカーナビゲーション装置の概略的な構成の一例を示すブロック図である。
【図３２】本開示の参考形態に係る通信システムの概略的な構成の一例を示す説明図である。
【図３３】参考形態に係る移動体通信端末の構成の一例を示すブロック図である。
【図３４】エリアごとの無線ネットワークのサービスエリアの密度の例を説明するための説明図である。
【図３５】密度情報の例を説明するための説明図である。
【図３６】密度情報の提供に係る処理の概略的な流れの第１の例を示すシーケンス図である。
【図３７】密度情報の提供に係る処理の概略的な流れの第２の例を示すシーケンス図である。
【図３８】省電力モードに関する周期の決定に係る処理の概略的な流れの一例を示すフローチャートである。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．はじめに
２．第１の実施形態
２．１．通信システムの構成
２．２．通信ノードの構成
２．３．処理の流れ
２．４．変形例
３．第２の実施形態
３．１．通信システムの構成
３．２．通信ノードの構成
３．３．処理の流れ
３．４．変形例
４．第３の実施形態
４．１．通信システムの構成
４．２．無線通信端末の構成
４．３．処理の流れ
４．４．変形例
５．第４の実施形態
５．１．通信システムの構成
５．２．移動体通信端末の構成
５．３．処理の流れ
５．４．変形例
６．応用例
６．１．移動体通信ネットワークの通信ノードに関する応用例
６．２．無線通信ネットワークの通信ノードに関する応用例
６．３．移動体通信端末に関する応用例
６．４．無線通信端末に関する応用例
７．参考形態
７．１．通信システムの構成
７．２．移動体通信端末の構成
７．３．処理の流れ
７．４．移動体通信端末に関する応用例
８．まとめ
【００１６】
＜＜１．はじめに＞＞
まず、図１及び図２を参照して、テザリングによる通信及びＷＬＡＮ経由での通信を説明する。
【００１７】
−テザリングによる通信
ＷＬＡＮ通信を行う無線通信端末は、例えば、テザリングによる通信を行う。即ち、上記無線通信端末は、移動体通信端末に接続し、当該移動体通信端末及び移動体通信ネットワーク経由で通信する。以下、この点について図１を参照して具体例を説明する。
【００１８】
図１は、テザリングによる通信の例を説明するための説明図である。図１を参照すると、無線通信端末１１、移動体通信端末１３、移動体通信ネットワーク２１及びサービスネットワーク２３が示されている。無線通信端末１１は、例えば、ＷＬＡＮ通信を行う装置であり、一例としてタブレット端末である。移動体通信端末１３は、移動体通信ネットワーク２１における移動体通信を行う装置であり、一例としてスマートフォンである。移動体通信ネットワーク２１は、例えば、ＬＴＥ（Long  Term  Evolution）又はＬＴＥ−Ａｄｖａｎｃｅｄなどの通信規格に従ったネットワークである。サービスネットワーク２３は、例えば、インターネットのような公衆ネットワークである。例えば、移動体通信端末１３は、移動体通信ネットワーク２１に接続し、移動体通信ネットワーク２１経由でデータの送受信を行う。また、移動体通信ネットワーク２１は、サービスネットワーク２３に接続され、移動体通信端末１３は、移動体通信ネットワーク２１及びサービスネットワーク２３経由でデータの送受信を行い得る。さらに、無線通信端末１１は、移動体通信端末１３に接続し、移動体通信端末１３及び移動体通信ネットワーク２１（並びにサービスネットワーク２３）経由でデータの送受信を行う。即ち、移動体通信端末１３は、無線通信端末１１と移動体通信ネットワーク２１との間の中継を行う機能を有する。このように、無線通信端末１１は、テザリングによる通信を行い、移動体通信端末１３は、テザリング機能を有する。
【００１９】
−ＷＬＡＮ経由での通信
ＷＬＡＮ通信を行う無線通信端末は、例えば、ＷＬＡＮに接続する。換言すると、上記無線通信端末は、ＷＬＡＮのアクセスポイントに接続する。そして、上記無線通信端末は、上記ＷＬＡＮ（あるいは上記アクセスポイント）経由でデータの送受信を行う。以下、この点について図２を参照して具体例を説明する。
【００２０】
図２は、ＷＬＡＮ経由での通信の例を説明するための説明図である。図２を参照すると、無線通信端末１１、移動体通信端末１３、移動体通信ネットワーク２１、サービスネットワーク２３及び無線ネットワーク２５が示されている。無線ネットワーク２５は、例えば、ＷＬＡＮである。無線通信端末１１は、無線ネットワーク２５に接続し、無線ネットワーク２５経由でデータの送受信を行う。また、例えば、無線ネットワーク２５は、移動体通信ネットワーク２１に接続され、無線通信端末１１は、無線ネットワーク２５及び移動体通信ネットワーク２１（並びにサービスネットワーク２３）経由でデータの送受信を行い得る。あるいは、無線ネットワーク２５は、サービスネットワーク２３に接続され、無線通信端末１１は、無線ネットワーク２５及びサービスネットワーク２３経由でデータの送受信を行ってもよい。
【００２１】
上述したようなＷＬＡＮ経由での通信は、一般的に、限定されたエリア（即ち、ＷＬＡＮの通信エリア）でしか行うことができない。
【００２２】
＜＜２．第１の実施形態＞＞
図３〜図８を参照して、本開示の第１の実施形態を説明する。第１の実施形態では、移動体通信ネットワークの通信ノードが、本開示の実施形態に係る制御を行う。即ち、本開示の実施形態に係る当該制御を行う通信制御装置は、移動体通信ネットワークの通信ノードを構成する装置である。
【００２３】
＜２．１．通信システムの構成＞
まず、図３を参照して、本開示の第１の実施形態に係る通信システムの概略的な構成を説明する。図３は、本開示の第１の実施形態に係る通信システムの概略的な構成の一例を示す説明図である。図３を参照すると、通信システムは、移動体通信ネットワーク３０、無線通信ネットワーク４０、移動体通信端末５０及び無線通信端末６０を含む。また、とりわけ第１の実施形態では、通信システムは、移動体通信ネットワーク３０の通信ノード１００を含む。
【００２４】
（移動体通信ネットワーク３０）
移動体通信ネットワーク３０は、移動体通信のためのネットワークである。例えば、移動体通信ネットワーク３０は、３ＧＰＰ（Third  Generation  Partnership  Project）のいずれかの通信規格に従ったネットワークである。一例として、移動体通信ネットワーク３０は、ＬＴＥ（Long  Term  Evolution）又はＬＴＥ−Ａｄｖａｎｃｅｄに従ったネットワークである。移動体通信ネットワーク３０は、例えば、移動体通信事業者により運用される。なお、移動体通信ネットワーク３０は、セルラーネットワークとも呼ばれ得る。また、移動体通信は、セルラー方式の通信とも言える。移動体通信ネットワーク３０は、無線アクセスネットワーク（ＲＡＮ：Radio  Access  Network）及びコアネットワーク（ＣＮ：Core  Network）を含む。
【００２５】
（無線通信ネットワーク４０）
無線通信ネットワーク４０は、移動体通信ネットワークとは異なるネットワークである。例えば、無線通信ネットワーク４０は、ＷＬＡＮである。
【００２６】
（移動体通信端末５０）
移動体通信端末５０は、移動体通信ネットワーク３０を介して通信する。即ち、移動体通信端末５０は、移動体通信ネットワーク３０のサービスエリアにおいて移動体通信を行う。具体的には、例えば、移動体通信端末５０は、移動体通信ネットワーク３０のセル内に位置する場合に、当該セルの基地局と通信する。
【００２７】
また、移動体通信端末５０は、第１の無線通信方式をサポートし、当該第１の無線通信方式で通信する。当該第１の無線通信方式は、例えば、ＷＬＡＮのための通信方式である。一例として、上記第１の無線通信方式は、ＩＥＥＥ８０２．１１ａ、１１ｂ、１１ｇ、１１ｎ、１１ａｃ及び１１ａｄなどの規格化された方式である。例えば、移動体通信端末５０は、上記第１の無線通信方式で無線通信端末６０とダイレクトに通信する。また、例えば、移動体通信端末５０は、上記第１の無線通信方式で無線通信ネットワーク４０（例えば、ＷＬＡＮ）のアクセスポイントと通信する。
【００２８】
また、例えば、移動体通信端末５０は、第２の無線通信方式もサポートし、当該第２の無線通信方式で通信する。当該第２の無線通信方式は、例えば、近距離無線通信の通信方式である。一例として、当該第２の無線通信方式は、Ｂｌｕｅｔｏｏｔｈ（登録商標）である。例えば、移動体通信端末５０は、上記第２の無線通信方式で無線通信端末６０とダイレクトに通信する。
【００２９】
さらに、移動体通信端末５０は、テザリング機能を有する。即ち、移動体通信端末５０は、移動体通信ネットワーク３０と他の端末装置との間の中継を行う機能を有する。具体的には、例えば、移動体通信端末５０は、第１の無線通信方式で無線通信端末６０から受信したデータを、移動体通信ネットワーク３０を介して送信し、移動体通信ネットワーク３０を介して受信した無線通信端末６０宛のデータを、上記第１の無線通信方式で無線通信端末６０へ送信する。
【００３０】
なお、移動体通信端末５０は、移動体通信ネットワーク３０を介して通信する移動体通信部、及び上記第１の無線通信方式で通信する第１無線通信部を備える。また、例えば、移動体通信端末５０は、記第２の無線通信方式で通信する第２無線通信部も備える。
【００３１】
（無線通信端末６０）
無線通信端末６０は、無線通信ネットワーク４０を介して通信する。即ち、無線通信端末６０は、無線通信ネットワーク４０のサービスエリアにおいて無線通信を行う。具体的には、例えば、無線通信端末６０は、無線通信ネットワーク４０のサービスエリア内に位置する場合に、無線通信ネットワーク４０のアクセスポイントと通信する。
【００３２】
また、無線通信端末６０は、上記第１の無線通信方式（例えば、ＷＬＡＮのための通信方式）をサポートし、上記第１の無線通信方式で通信する。例えば、上述したように、無線通信端末６０は、上記第１の無線通信方式で無線通信ネットワーク４０（例えば、ＷＬＡＮ）のアクセスポイントと通信する。また、例えば、無線通信端末６０は、上記第１の無線通信方式で移動体通信端末５０とダイレクトに通信する。
【００３３】
また、例えば、無線通信端末６０は、上記第２の無線通信方式（例えば、Ｂｌｕｅｔｏｏｔｈ）もサポートし、上記第２の無線通信方式で通信する。例えば、無線通信端末６０は、上記第２の無線通信方式で移動体通信端末５０とダイレクトに通信する。
【００３４】
なお、無線通信端末６０は、上記第１の無線通信方式で通信する第１無線通信部を備える。また、例えば、無線通信端末６０は、第２の無線通信方式で通信する第２無線通信部も備える。
【００３５】
（通信ノード１００）
第１の実施形態では、移動体通信ネットワーク３０の通信ノード１００が、移動体通信端末５０の消費電力を抑えつつ通信を速やかに切り替えることを可能にする。
【００３６】
なお、通信ノード１００は、無線アクセスネットワーク内の基地局であってもよく、又はコアネットワーク内におけるコアネットワークノードであってもよい。
【００３７】
＜２．２．通信ノードの構成＞
図４を参照して、第１の実施形態に係る通信ノード１００の構成の一例を説明する。図４は、第１の実施形態に係る通信ノード１００の構成の一例を示すブロック図である。図４を参照すると、通信ノード１００は、通信部１１０、記憶部１２０及び処理部１３０を備える。
（通信部１１０）
通信部１１０は、他のノードと通信する。例えば、通信部１１０は、移動体通信ネットワーク３０を介して移動体通信端末５０と通信する。また、例えば、通信部１１０は、移動体通信ネットワーク３０及び無線通信ネットワーク４０を介して無線通信端末６０と通信する。
【００３８】
（記憶部１２０）
記憶部１２０は、通信ノード１００の動作のためのプログラム及びデータを一時的にまたは恒久的に記憶する。
【００３９】
（処理部１３０）
処理部１３０は、通信ノード１００の様々な機能を提供する。処理部１３０は、判定部１３１、判定結果取得部１３３及び切替制御部１３５を含む。
【００４０】
（判定部１３１）
判定部１３１は、無線通信ネットワーク４０への無線通信端末６０の接続に関連する所定の条件が満たされるかの判定を行う。
【００４１】
一例として、上記所定の条件は、１つ以上のＯＲ条件を含む。そして、当該１つ以上のＯＲ条件のいずれかが満たされると、上記所定の条件が満たされる。
【００４２】
−接続の状態
例えば、上記所定の条件は、無線通信ネットワーク４０への無線通信端末６０の接続の状態に基づいて判定される条件である。
【００４３】
より具体的には、例えば、上記所定の条件は、無線通信ネットワーク４０への無線通信端末６０の接続が切断されているか否かに基づいて判定される条件である。この場合に、上記所定の条件は、例えば、無線通信ネットワーク４０への無線通信端末６０の接続が切断されていれば満たされる。一例として、上記１つ以上のＯＲ条件の１つが、無線通信ネットワーク４０への無線通信端末６０の接続が切断されていることである。
【００４４】
これにより、例えば、無線通信ネットワーク４０への無線通信端末６０の接続が切断された場合に通信が切り替えられ得る。
【００４５】
なお、上記接続の状態を示す情報は、例えば、無線通信ネットワーク４０の通信ノード（例えば、アクセスポイント）により提供される。
【００４６】
−通信品質
例えば、上記所定の条件は、無線通信ネットワーク４０における無線通信端末６０の通信についての通信品質に基づいて判定される条件である。
【００４７】
より具体的には、例えば、上記所定の条件は、無線通信ネットワーク４０における無線通信端末６０の通信についての通信品質が所定の品質を下回るか否かに基づいて判定される条件である。この場合に、上記所定の条件は、例えば、上記通信品質が所定の品質を下回っていれば満たされる。
【００４８】
これにより、例えば、無線通信ネットワーク４０における無線通信端末６０の通信品質の悪化に応じて通信を切り替えることが可能になる。即ち、無線通信ネットワーク４０への無線通信端末６０の接続が切断されそうな場合に、通信が切り替えられ得る。
【００４９】
第１の例として、上記通信品質は、無線通信ネットワーク４０で無線通信端末６０が送信する信号の受信強度を含む。即ち、上記通信品質は、無線通信ネットワーク４０のアクセスポイントが受信する無線通信端末６０の送信信号の受信強度を含む。この場合に、上記所定の条件は、例えば、当該受信強度が所定の閾値を下回っていれば満たされる。一例として、上記１つ以上のＯＲ条件の１つが、上記受信強度が上記所定の閾値を下回っていることである。
【００５０】
第２の例として、上記通信品質は、無線通信ネットワーク４０における無線通信端末６０の通信についてのエラーレートを含む。この場合に、上記所定の条件は、例えば、当該エラーレートが所定の閾値を上回っていれば満たされる。一例として、上記１つ以上のＯＲ条件の１つが、上記エラーレートが上記所定の閾値を上回っていることである。
【００５１】
第３の例として、上記通信品質は、無線通信ネットワーク４０における無線通信端末６０の通信についての再送回数を含む。この場合に、上記所定の条件は、例えば、当該再送回数が所定の閾値を上回っていれば満たされる。一例として、上記１つ以上のＯＲ条件の１つが、上記再送回数が上記所定の閾値を上回っていることである。
【００５２】
なお、上記通信品質は、例えば、無線通信ネットワーク４０の通信ノード（例えば、アクセスポイント）により測定され、上記通信品質を示す情報は、上記通信ノードにより提供される。
【００５３】
−移動の状況
例えば、移動体通信端末５０は、無線通信端末６０に関連付けられ、上記所定の条件は、移動体通信端末５０の移動の状況に基づいて判定される条件である。
【００５４】
より具体的には、例えば、移動体通信端末５０と無線通信端末６０とが互いに関連付けられていることを示す情報が予め提供される。そして、上記所定の条件は、移動体通信端末５０が移動しているか否かに基づいて判定される条件である。この場合に、上記所定の条件は、例えば、移動体通信端末５０が移動していれば満たされる。一例として、上記１つ以上のＯＲ条件の１つが、移動体通信端末５０が移動していることである。
【００５５】
これにより、例えば、移動体通信端末５０の移動に応じて通信を切り替えることが可能になる。即ち、無線通信ネットワーク４０への無線通信端末６０の接続が切断されそうな場合に、通信が切り替えられ得る。
【００５６】
なお、移動体通信端末５０の移動の状況は、例えば、移動体通信端末５０の位置の変化から知ることが可能である。例えば、移動体通信端末５０により位置情報（例えば、ＧＰＳ（Global  Positioning  System）の位置情報）が提供される。あるいは、移動体通信ネットワーク３０において移動体通信端末５０の位置が推定され、当該位置を示す位置情報が提供されてもよい。具体例として、複数の基地局における移動体通信端末５０の送信信号の受信強度に基づいて上記位置が推定されてもよく、ＴＡ（Timing  Advance）値及びＡｏＡ（Angle  of  Arrival）の測定値などに基づいて上記位置が推定されてもよい。
【００５７】
以上のように、判定部１３１は、上記判定（即ち、無線通信ネットワーク４０への無線通信端末６０の接続に関連する所定の条件が満たされるかの判定）を行う。そして、判定部１３１は、上記判定の結果を判定結果取得部１３３に提供する。例えば、判定部１３１は、上記所定の条件が満たされると、当該所定の条件の判定の結果（即ち、上記所定の条件が満たされることを示す結果）を判定結果取得部１３３に提供する。なお、判定部１３１は、上記所定の条件が満たされない場合に、上記所定の条件の判定の結果（即ち、上記所定の条件が満たされないことを示す結果）を判定結果取得部１３３に提供してもよく、あるいは上記結果を判定結果取得部１３３に提供しなくてもよい。
【００５８】
（判定結果取得部１３３）
判定結果取得部１３３は、上記判定（即ち、無線通信ネットワーク４０への無線通信端末６０の接続に関連する所定の条件が満たされるかの判定）の結果を取得する。
【００５９】
例えば、判定部１３１は、上記所定の条件の判定の結果を判定結果取得部１３３に提供する。そして、判定結果取得部１３３は、当該結果を取得する。
【００６０】
（切替制御部１３５）
−移動体通信端末５０の動作モードの切替え
切替制御部１３５は、上記所定の条件が満たされる場合に、移動体通信ネットワーク３０を介して通信する移動体通信端末５０に動作モードを第１のモードから第２のモードに切り替えさせる制御（以下、「モード切替え制御」と呼ぶ）を行う。
【００６１】
上記動作モードは、無線通信端末６０及び移動体通信端末５０がサポートする第１の無線通信方式での通信についての動作モードである。上述したように、例えば、上記第１の無線通信方式は、ＷＬＡＮのための無線通信方式であり、そして、上記動作モードは、ＷＬＡＮ通信についての動作モードである。即ち、上記所定の条件が満たされる場合に、ＷＬＡＮ通信についての動作モードが切り替えられる。
【００６２】
上記第１のモードは、上記第２のモードより消費電力が小さいモードであり、上記第２のモードは、移動体通信端末５０が上記第１の無線通信方式でデータを送信し又は受信することが可能なモードである。例えば、上記第１のモードは、通信が行われない停止モード、又は省電力での通信（例えば、間欠送信又は間欠受信）が行われる省電力モードである。また、上記第２のモードは、上記第１の無線通信方式での通常の通信を可能にする通常モードである。即ち、上記所定の条件が満たされる場合に、停止モード又は省電力モードから通常モードへ動作モードが切替えられる。
【００６３】
−−具体的な制御
例えば、上記モード切替え制御は、上記第１のモードから上記第２のモードへの上記動作モードの切替えを要求するメッセージ（以下、「モード切替えメッセージ」と呼ぶ）の移動体通信端末５０への送信をトリガすることである。即ち、切替制御部１３５は、上記モード切替えメッセージの移動体通信端末５０への送信をトリガする。
【００６４】
一例として、通信ノード１００が、上記モード切替えメッセージを送信する。この場合に、切替制御部１３５は、通信ノード１００（処理部１３０）による上記モード切替えメッセージの送信をトリガする。すると、通信ノード１００（処理部１３０）は、移動体通信端末５０に上記モード切替えメッセージを送信する。その結果、移動体通信端末５０は、上記動作モードを上記第１のモードから上記第２のモードに切り替える。
【００６５】
なお、上記モード切替えメッセージは、例えば、移動体通信ネットワーク３０を介して移動体通信端末５０へ送信されるメッセージである。例えば、通信ノード１００は、上記モード切替えメッセージを移動体通信ネットワーク３０を介して移動体通信端末５０へ送信する。
【００６６】
以上のように、移動体通信端末５０の動作モードが、第１のモード（例えば、停止モード又は省電力モード）から第２のモード（例えば、通常モード）へ切り替えられる。これにより、移動体通信端末５０の消費電力を抑えつつ通信を速やかに切り替えることが可能になる。
【００６７】
具体的には、例えば、無線通信ネットワーク４０への無線通信端末６０の接続が切断された場合、又は当該接続が切断されそうな場合に、移動体通信端末５０において、第１の無線通信方式での通信についての動作モードが通常モードになる。そのため、無線通信端末６０は、テザリングによる通信へ通信を速やかに切り替えることが可能になる。また、無線通信ネットワーク４０への無線通信端末６０の接続が切断されていない場合、又は当該接続が切断されそうではない場合には、移動体通信端末５０において、第１の無線通信方式での通信についての動作モードは、停止モード又は省電力モードでもよい。よって、移動体通信端末５０の消費電力が抑えられつつ、無線通信端末６０の通信が、無線通信ネットワーク４０を介した通信からテザリングによる通信へ速やかに切り替えられ得る。
【００６８】
−無線通信端末６０の通信の切替え
さらに、例えば、切替制御部１３５は、上記所定の条件が満たされる場合に、無線通信端末６０に無線通信ネットワーク４０を介した第１の通信から移動体通信端末５０及び移動体通信ネットワーク３０を介した第２の通信へ通信を切り替えさせるさらなる制御（以下、「通信切替え制御」と呼ぶ）を行う。即ち、当該通信切替え制御は、無線通信端末６０に無線通信ネットワーク４０を介した通信（第１の通信）からテザリングによる通信（第２の通信）へ通信を切り替えさせる制御である。
【００６９】
−−具体的な制御
例えば、上記通信切替え制御は、上記第１の通信から上記第２の通信への通信の切替えを要求するメッセージ（以下、「通信切替えメッセージ」と呼ぶ）の無線通信端末６０への送信をトリガすることである。即ち、切替制御部１３５は、上記通信切替えメッセージの無線通信端末６０への送信をトリガする。
【００７０】
一例として、通信ノード１００が、上記通信切替えメッセージを送信する。この場合に、切替制御部１３５は、通信ノード１００（処理部１３０）による上記通信切替えメッセージの送信をトリガする。すると、通信ノード１００（処理部１３０）は、無線通信端末６０へ上記通信切替えメッセージを送信する。その結果、無線通信端末６０は、無線通信ネットワーク４０を介した通信からテザリングによる通信に通信を切り替える。
【００７１】
なお、上記通信切替えメッセージは、例えば、無線通信ネットワーク４０を介して無線通信端末６０へ送信されるメッセージである。例えば、通信ノード１００は、上記通信切替えメッセージを無線通信ネットワーク４０を介して無線通信端末６０へ送信する。
【００７２】
以上のように、無線通信端末６０の通信が、ＷＬＡＮを介した通信からテザリングによる通信へ切り替えられる。これにより、無線通信端末６０の通信を確実に切り替えることが可能になる。
【００７３】
＜２．３．処理の流れ＞
続いて、図５及図６を参照して、第１の実施形態に係る通信制御処理を説明する。
【００７４】
（通信制御処理）
図５は、第１の実施形態に係る通信制御処理の概略的な流れの一例を示すシーケンス図である。
【００７５】
前提として、移動体通信端末５０は、移動体通信ネットワーク３０に接続されている。また、無線通信端末６０は、無線通信ネットワーク４０に接続されている。
【００７６】
まず、移動体通信ネットワーク３０の通信ノード１００は、判定処理を行う（Ｓ１１１０）。即ち、通信ノード１００は、無線通信ネットワーク４０への無線通信端末６０の接続に関連する所定の条件が満たされるかの判定を行う。そして、例えば、当該所定の条件が満たされると判定される。なお、通信ノード１００は、上記判定処理に必要な情報を、無線通信ネットワーク４０の通信ノード及び／若しくは移動体通信端末５０などから取得し、又は自ら生成し得る。
【００７７】
その後、通信ノード１００は、移動体通信ネットワーク３０を介して、モード切替えメッセージを移動体通信端末５０へ送信する（Ｓ１１２１）。当該モード切替えメッセージは、第１の無線通信方式での通信（例えば、ＷＬＡＮ通信）についての動作モードの切替えを要求するメッセージである。すると、移動体通信端末５０は、上記第１の無線通信方式での通信についての動作モードを第１のモード（例えば、停止モード又は省電力モード）から第２のモード（例えば、通常モード）に切り替える（Ｓ１１２３）。
【００７８】
また、通信ノード１００は、無線通信ネットワーク４０を介して、通信切替えメッセージを無線通信端末６０へ送信する（Ｓ１１２５）。当該通信切替えメッセージは、第１の通信（例えば、無線通信ネットワーク４０を介した通信）から第２の通信（即ち、テザリングによる通信）への通信の切替えを要求するメッセージである。すると、移動体通信端末５０及び無線通信端末６０は、上記第２の通信への通信の切替えのために、第１の無線通信方式での通信でダイレクトに接続するための接続処理を行う（Ｓ１１２７）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【００７９】
（判定処理）
図６は、第１の実施形態に係る判定処理の概略的な流れの一例を示すフローチャートである。当該判定処理は、図５のステップＳ１１１０に対応する処理である。
【００８０】
まず、判定の結果を示すフラグが０に初期化される（Ｓ１１１１）。
【００８１】
そして、判定部１３１は、無線通信ネットワーク４０への無線通信端末６０の接続が切断されているかを判定する（Ｓ１１１２）。当該接続が切断されていれば（Ｓ１１１２：ＹＥＳ）、フラグが１に変更される（Ｓ１１１７）。そして、処理は終了する。
【００８２】
また、判定部１３１は、無線通信ネットワーク４０で無線通信端末６０が送信する信号の受信強度が閾値Ｔ１を下回るかを判定する（Ｓ１１１３）。当該受信強度が閾値Ｔ１を下回れば（Ｓ１１１３：ＹＥＳ）、フラグが１に変更される（Ｓ１１１７）。そして、処理は終了する。
【００８３】
また、判定部１３１は、無線通信ネットワーク４０における無線通信端末６０の通信についてのエラーレートが閾値Ｔ２を上回るかを判定する（Ｓ１１１４）。当該エラーレートが閾値Ｔ２を上回れば（Ｓ１１１４：ＹＥＳ）、フラグが１に変更される（Ｓ１１１７）。そして、処理は終了する。
【００８４】
また、判定部１３１は、無線通信ネットワーク４０における無線通信端末６０の通信についての再送回数が閾値Ｔ３を上回るかを判定する（Ｓ１１１５）。当該再送回数が閾値Ｔ３を上回れば（Ｓ１１１５：ＹＥＳ）、フラグが１に変更される（Ｓ１１１７）。そして、処理は終了する。
【００８５】
また、判定部１３１は、移動体通信端末５０が移動しているかを判定する（Ｓ１１１６）。移動体通信端末５０が移動していれば（Ｓ１１１６：ＹＥＳ）、フラグが１に変更される（Ｓ１１１７）。そして、処理は終了する。
【００８６】
また、いずれの判定の結果も偽であれば、フラグが０のまま処理は終了する。
【００８７】
なお、フラグは、１である場合に、無線通信ネットワーク４０への無線通信端末６０の接続に関連する所定の条件が満たされることを示し、０である場合に、当該所定の条件が満たされないことを示す。
【００８８】
＜２．４．変形例＞
続いて、図７及図８を参照して、第１の実施形態の変形例を説明する。当該変形例では、移動体通信端末５０及び無線通信端末６０によりサポートされる第２の無線通信方式（例えば、近距離無線通信の通信方式）で、上記モード切替えメッセージ又は上記通信切替えメッセージが送信される。
【００８９】
（通信ノード１００：切替制御部１３５）
−移動体通信端末５０の動作モードの切替え
−−具体的な制御
第１の実施形態の変形例によれば、第１の例として、上記モード切替えメッセージは、上記第２の無線通信方式（例えば、近距離無線通信の通信方式）で無線通信端末６０から移動体通信端末５０へ送信されるメッセージである。
【００９０】
一例として、通信ノード１００は、上記モード切替えメッセージ及び上記通信切替えメッセージを、無線通信端末６０へ送信する。すると、無線通信端末６０は、上記第２の無線通信方式で上記モード切替えメッセージを移動体通信端末５０へ送信する。
【００９１】
−無線通信端末６０の通信の切替え
−−具体的な制御
第１の実施形態の変形例によれば、第２の例として、上記通信切替えメッセージは、上記第２の無線通信方式（例えば、近距離無線通信の通信方式）で移動体通信端末５０から無線通信端末６０へ送信されるメッセージであってもよい。
【００９２】
一例として、通信ノード１００は、上記モード切替えメッセージ及び上記通信切替えメッセージを、移動体通信端末５０へ送信する。すると、移動体通信端末５０は、上記第２の無線通信方式で上記通信切替えメッセージを無線通信端末６０へ送信する。
【００９３】
（処理の流れ：通信制御処理（第１の例））
図７は、第１の実施形態の変形例に係る通信制御処理の概略的な流れの第１の例を示すシーケンス図である。
【００９４】
前提として、移動体通信端末５０は、移動体通信ネットワーク３０に接続されている。また、無線通信端末６０は、無線通信ネットワーク４０に接続されている。また、移動体通信端末５０及び無線通信端末６０は、第２の無線通信方式での通信で互いに接続されている。
【００９５】
まず、移動体通信ネットワーク３０の通信ノード１００は、判定処理を行う（Ｓ１１３０）。当該判定処理は、例えば、図６を参照して説明した判定処理（Ｓ１１１０）と同一の処理である。
【００９６】
その後、通信ノード１００は、無線通信ネットワーク４０を介して、モード切替えメッセージ及び通信切替えメッセージを無線通信端末６０へ送信する（Ｓ１１４１）。
【００９７】
すると、無線通信端末６０は、第２の無線通信方式（例えば、Ｂｌｕｅｔｏｏｔｈ）で、上記モード切替えメッセージを移動体通信端末５０へ送信する（Ｓ１１４３）。そして、移動体通信端末５０は、これに対して応答する（Ｓ１１４５）。そして、移動体通信端末５０は、上記第１の無線通信方式での通信についての動作モードを第１のモード（例えば、停止モード又は省電力モード）から第２のモード（例えば、通常モード）に切り替える（Ｓ１１４７）。
【００９８】
その後、移動体通信端末５０及び無線通信端末６０は、上記第２の通信（即ち、テザリングによる通信）への通信の切替えのために、第１の無線通信方式での通信でダイレクトに接続するための接続処理を行う（Ｓ１１４９）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【００９９】
なお、通信ノード１００が、モード切替えメッセージを送信する代わりに、無線通信端末６０が、通信ノード１００からのメッセージ（例えば、通信切替えメッセージ）の受信に応じて、モード切替えメッセージを移動体通信端末５０へ送信してもよい。
【０１００】
（処理の流れ：通信制御処理（第２の例））
図８は、第１の実施形態の変形例に係る通信制御処理の概略的な流れの第２の例を示すシーケンス図である。
【０１０１】
前提として、移動体通信端末５０は、移動体通信ネットワーク３０に接続されている。また、無線通信端末６０は、無線通信ネットワーク４０に接続されている。また、移動体通信端末５０及び無線通信端末６０は、第２の無線通信方式での通信で互いに接続されている。
【０１０２】
まず、移動体通信ネットワーク３０の通信ノード１００は、判定処理を行う（Ｓ１１６０）。当該判定処理は、例えば、図６を参照して説明した判定処理（Ｓ１１１０）と同一の処理である。
【０１０３】
その後、通信ノード１００は、移動体通信ネットワーク３０を介して、モード切替えメッセージ及び通信切替えメッセージを移動体通信端末５０へ送信する（Ｓ１１７１）。
【０１０４】
すると、移動体通信端末５０は、第２の無線通信方式（例えば、Ｂｌｕｅｔｏｏｔｈ）で、上記通信切替えメッセージを無線通信端末６０へ送信する（Ｓ１１７３）。そして、無線通信端末６０は、これに対して応答する（Ｓ１１７５）。
【０１０５】
また、移動体通信端末５０は、上記第１の無線通信方式での通信についての動作モードを第１のモード（例えば、停止モード又は省電力モード）から第２のモード（例えば、通常モード）に切り替える（Ｓ１１７７）。
【０１０６】
その後、移動体通信端末５０及び無線通信端末６０は、上記第２の通信（即ち、テザリングによる通信）への通信の切替えのために、第１の無線通信方式での通信でダイレクトに接続するための接続処理を行う（Ｓ１１７９）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【０１０７】
なお、通信ノード１００が、通信切替えメッセージを送信する代わりに、移動体通信端末５０が、通信ノード１００からのメッセージ（例えば、モード切替えメッセージ）の受信に応じて、通信切替えメッセージを無線通信端末６０へ送信してもよい。
【０１０８】
＜＜３．第２の実施形態＞＞
図９〜図１３を参照して、本開示の第２の実施形態を説明する。第２の実施形態では、無線通信ネットワークの通信ノードが、本開示の実施形態に係る制御を行う。即ち、本開示の実施形態に係る当該制御を行う通信制御装置は、無線通信ネットワークの通信ノードを構成する装置である。
【０１０９】
＜３．１．通信システムの構成＞
まず、図９を参照して、本開示の第２の実施形態に係る通信システムの概略的な構成を説明する。図９は、本開示の第２の実施形態に係る通信システムの概略的な構成の一例を示す説明図である。図９を参照すると、通信システムは、移動体通信ネットワーク３０、無線通信ネットワーク４０、移動体通信端末５０及び無線通信端末６０を含む。また、とりわけ第２の実施形態では、通信システムは、無線通信ネットワーク４０の通信ノード２００を含む。
【０１１０】
なお、移動体通信ネットワーク３０、無線通信ネットワーク４０、移動体通信端末５０及び無線通信端末６０についての説明は、第１の実施形態におけるこれらの説明と同一である。よって、ここでは重複する説明を省略する。
【０１１１】
（通信ノード２００）
第２の実施形態では、無線通信ネットワーク４０の通信ノード２００が、移動体通信端末５０の消費電力を抑えつつ通信を速やかに切り替えることを可能にする。
【０１１２】
なお、通信ノード２００は、無線通信ネットワーク４０のアクセスポイントであってもよく、又は無線通信ネットワーク４０の別の制御ノードであってもよい。
【０１１３】
＜３．２．通信ノードの構成＞
図１０を参照して、第２の実施形態に係る通信ノード２００の構成の一例を説明する。図１０は、第２の実施形態に係る通信ノード２００の構成の一例を示すブロック図である。図１０を参照すると、通信ノード２００は、通信部２１０、記憶部２２０及び処理部２３０を備える。
（通信部２１０）
通信部２１０は、他のノードと通信する。例えば、通信部２１０は、移動体通信ネットワーク３０を介して移動体通信端末５０と通信する。また、例えば、通信部２１０は、無線通信ネットワーク４０を介して無線通信端末６０と通信する。
【０１１４】
（記憶部２２０）
記憶部２２０は、通信ノード２００の動作のためのプログラム及びデータを一時的にまたは恒久的に記憶する。
【０１１５】
（処理部２３０）
処理部２３０は、通信ノード２００の様々な機能を提供する。処理部２３０は、判定部２３１、判定結果取得部２３３及び切替制御部２３５を含む。
【０１１６】
ここで、第２の実施形態に係る判定部２３１及び判定結果取得部２３３は、第１の実施形態に係る判定部１３１及び判定結果取得部１３３と機能的に同一である。よって、ここでは、切替制御部２３５のみを説明する。
【０１１７】
（切替制御部２３５）
−移動体通信端末５０の動作モードの切替え
切替制御部２３５は、上記所定の条件が満たされる場合に、移動体通信ネットワーク３０を介して通信する移動体通信端末５０に動作モードを第１のモードから第２のモードに切り替えさせる制御（即ち、モード切替え制御）を行う。
【０１１８】
なお、第１の実施形態においても説明したとおり、上記動作モードは、上記第１の無線通信方式での通信（例えば、ＷＬＡＮ通信）についての動作モードである。また、上記第１のモードは、上記第２のモードより消費電力が小さいモード（例えば、停止モード又は省電力モード）であり、上記第２のモードは、移動体通信端末５０が上記第１の無線通信方式でデータを送信し又は受信することが可能なモード（例えば、通常モード）である。
【０１１９】
−−具体的な制御
例えば、上記モード切替え制御は、上記第１のモードから上記第２のモードへの上記動作モードの切替えを要求するメッセージ（即ち、モード切替えメッセージ）の移動体通信端末５０への送信をトリガすることである。即ち、切替制御部２３５は、上記モード切替えメッセージの移動体通信端末５０への送信をトリガする。
【０１２０】
一例として、移動体通信ネットワーク３０のいずれかの通信ノード（例えば、基地局又はコアネットワークノード）が、上記モード切替えメッセージを送信する。この場合に、切替制御部２３５は、上記通信ノードによる上記モード切替えメッセージの送信をトリガする。具体的には、例えば、切替制御部２３５は、通信部２１０を介して、上記通信ノードに、上記動作モードの切替えを要求する。すると、上記通信ノードは、上記動作モードの切替え後に行われる無線通信端末６０の通信の切替え（即ち、テザリングによる通信への切替え）に対する承認を行い、上記モード切替えメッセージを移動体通信端末５０へ送信する。その結果、移動体通信端末５０は、上記動作モードを上記第１のモードから上記第２のモードに切り替える。
【０１２１】
なお、上記モード切替えメッセージは、例えば、移動体通信ネットワーク３０を介して移動体通信端末５０へ送信されるメッセージである。
【０１２２】
以上のように、移動体通信端末５０の動作モードが、第１のモード（例えば、停止モード又は省電力モード）から第２のモード（例えば、通常モード）へ切り替えられる。これにより、移動体通信端末５０の消費電力を抑えつつ通信を速やかに切り替えることが可能になる。この点については、第１の実施形態において説明したとおりである。
【０１２３】
なお、上記モード切替えメッセージは、移動体通信ネットワーク３０の通信ノードにより送信される代わりに、通信ノード２００により移動体通信ネットワーク３０を介して移動体通信端末５０へ送信されてもよい。
【０１２４】
−無線通信端末６０の通信の切替え
さらに、例えば、切替制御部２３５は、上記所定の条件が満たされる場合に、無線通信端末６０に無線通信ネットワーク４０を介した第１の通信から移動体通信端末５０及び移動体通信ネットワーク３０を介した第２の通信へ通信を切り替えさせるさらなる制御（即ち、通信切替え制御）を行う。即ち、当該通信切替え制御は、無線通信端末６０に無線通信ネットワーク４０を介した通信（第１の通信）からテザリングによる通信（第２の通信）へ通信を切り替えさせる制御である。
【０１２５】
−−具体的な制御
例えば、上記通信切替え制御は、上記第１の通信から上記第２の通信への通信の切替えを要求するメッセージ（即ち、通信切替えメッセージ）の無線通信端末６０への送信をトリガすることである。即ち、切替制御部２３５は、上記通信切替えメッセージの無線通信端末６０への送信をトリガする。
【０１２６】
一例として、通信ノード２００が、上記通信切替えメッセージを送信する。この場合に、切替制御部２３５は、通信ノード２００（処理部２３０）による上記通信切替えメッセージの送信をトリガする。すると、通信ノード２００（処理部２３０）は、無線通信端末６０へ上記通信切替えメッセージを送信する。
【０１２７】
なお、上記通信切替えメッセージは、例えば、無線通信ネットワーク４０を介して無線通信端末６０へ送信されるメッセージである。例えば、通信ノード２００は、上記通信切替えメッセージを無線通信ネットワーク４０を介して無線通信端末６０へ送信する。
【０１２８】
以上のように、無線通信端末６０の通信が、ＷＬＡＮを介した通信からテザリングによる通信へ切り替えられる。これにより、無線通信端末６０の通信を確実に切り替えることが可能になる。
【０１２９】
＜３．３．処理の流れ＞
続いて、図１１を参照して、第２の実施形態に係る通信制御処理を説明する。
【０１３０】
（通信制御処理）
図１１は、第２の実施形態に係る通信制御処理の概略的な流れの一例を示すシーケンス図である。
【０１３１】
前提として、移動体通信端末５０は、移動体通信ネットワーク３０に接続されている。また、無線通信端末６０は、無線通信ネットワーク４０に接続されている。
【０１３２】
まず、無線通信ネットワーク４０の通信ノード２００は、判定処理を行う（Ｓ１２１０）。即ち、通信ノード２００は、無線通信ネットワーク４０への無線通信端末６０の接続に関連する所定の条件が満たされるかの判定を行う。そして、例えば、当該所定の条件が満たされると判定される。なお、通信ノード２００は、上記判定処理に必要な情報を、自ら生成し、又は、移動体通信ネットワーク３０の通信ノード及び／又は移動体通信端末５０などから取得し得る。また、上記判定処理は、例えば、図６を参照して説明した判定処理（Ｓ１１１０）と同一の処理である。
【０１３３】
その後、通信ノード２００は、移動体通信ネットワーク３０の通信ノードに、移動体通信端末５０の動作モードの切替えを要求する（Ｓ１２２１）。すると、移動体通信ネットワーク３０の上記通信ノードは、上記動作モードの切替え後に行われる無線通信端末６０の通信の切替え（即ち、テザリングによる通信への切替え）に対する承認を行う（Ｓ１２２３）。そして、当該通信ノードは、モード切替えメッセージを移動体通信端末５０へ送信する（Ｓ１２２５）。当該モード切替えメッセージは、第１の無線通信方式での通信（例えば、ＷＬＡＮ通信）についての動作モードの切替えを要求するメッセージである。すると、移動体通信端末５０は、上記第１の無線通信方式での通信についての動作モードを第１のモード（例えば、停止モード又は省電力モード）から第２のモード（例えば、通常モード）に切り替える（Ｓ１２２７）。
【０１３４】
また、通信ノード２００は、無線通信ネットワーク４０を介して、通信切替えメッセージを無線通信端末６０へ送信する（Ｓ１２２９）。当該通信切替えメッセージは、第１の通信（例えば、無線通信ネットワーク４０を介した通信）から第２の通信（即ち、テザリングによる通信）への通信の切替えを要求するメッセージである。すると、移動体通信端末５０及び無線通信端末６０は、上記第２の通信への通信の切替えのために、第１の無線通信方式での通信でダイレクトに接続するための接続処理を行う（Ｓ１２３１）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【０１３５】
＜３．４．変形例＞
続いて、図１２及図１３を参照して、第２の実施形態の変形例を説明する。当該変形例では、移動体通信端末５０及び無線通信端末６０によりサポートされる第２の無線通信方式（例えば、近距離無線通信の通信方式）で、上記モード切替えメッセージ又は上記通信切替えメッセージが送信される。
【０１３６】
（通信ノード２００：切替制御部２３５）
−移動体通信端末５０の動作モードの切替え
−−具体的な制御
第２の実施形態の変形例によれば、第１の例として、上記モード切替えメッセージは、上記第２の無線通信方式（例えば、近距離無線通信の通信方式）で無線通信端末６０から移動体通信端末５０へ送信されるメッセージである。
【０１３７】
一例として、通信ノード２００は、上記モード切替えメッセージ及び上記通信切替えメッセージを、無線通信端末６０へ送信する。すると、無線通信端末６０は、上記第２の無線通信方式で上記モード切替えメッセージを移動体通信端末５０へ送信する。その結果、移動体通信端末５０は、上記動作モードを上記第１のモードから上記第２のモードに切り替える。
【０１３８】
−無線通信端末６０の通信の切替え
−−具体的な制御
第２の実施形態の変形例によれば、第２の例として、上記通信切替えメッセージは、上記第２の無線通信方式（例えば、近距離無線通信の通信方式）で移動体通信端末５０から無線通信端末６０へ送信されるメッセージであってもよい。
【０１３９】
一例として、移動体通信ネットワーク３０のいずれかの通信ノード（例えば、基地局又はコアネットワークノード）が、上記モード切替えメッセージ及び上記通信切替えメッセージを送信する。この場合に、切替制御部２３５は、上記通信ノードによる上記モード切替えメッセージ及び上記通信切替えメッセージの送信をトリガする。具体的には、例えば、切替制御部２３５は、通信部２１０を介して、移動体通信ネットワーク３０の上記通信ノードに、上記動作モードの切替えを要求する。すると、上記通信ノードは、上記動作モードの切替え後に行われる無線通信端末６０の通信の切替え（即ち、テザリングによる通信への切替え）に対する承認を行い、上記モード切替えメッセージ及び上記通信切替えメッセージを移動体通信端末５０へ送信する。すると、移動体通信端末５０は、上記第２の無線通信方式で上記通信切替えメッセージを無線通信端末６０へ送信する。その結果、無線通信端末６０は、無線通信ネットワーク４０を介した通信からテザリングによる通信に通信を切り替える。
【０１４０】
（処理の流れ：通信制御処理（第１の例））
図１２は、第２の実施形態の変形例に係る通信制御処理の概略的な流れの第１の例を示すシーケンス図である。
【０１４１】
前提として、移動体通信端末５０は、移動体通信ネットワーク３０に接続されている。また、無線通信端末６０は、無線通信ネットワーク４０に接続されている。また、移動体通信端末５０及び無線通信端末６０は、第２の無線通信方式での通信で互いに接続されている。
【０１４２】
まず、無線通信ネットワーク４０の通信ノード２００は、判定処理を行う（Ｓ１２４０）。当該判定処理は、例えば、図６を参照して説明した判定処理（Ｓ１１１０）と同一の処理である。
【０１４３】
その後、通信ノード２００は、無線通信ネットワーク４０を介して、モード切替えメッセージ及び通信切替えメッセージを無線通信端末６０へ送信する（Ｓ１２５１）。
【０１４４】
すると、無線通信端末６０は、第２の無線通信方式（例えば、Ｂｌｕｅｔｏｏｔｈ）で、上記モード切替えメッセージを移動体通信端末５０へ送信する（Ｓ１２５３）。そして、移動体通信端末５０は、これに対して応答する（Ｓ１２５５）。そして、移動体通信端末５０は、上記第１の無線通信方式での通信についての動作モードを第１のモード（例えば、停止モード又は省電力モード）から第２のモード（例えば、通常モード）に切り替える（Ｓ１２５７）。
【０１４５】
その後、移動体通信端末５０及び無線通信端末６０は、上記第２の通信（即ち、テザリングによる通信）への通信の切替えのために、第１の無線通信方式での通信でダイレクトに接続するための接続処理を行う（Ｓ１２５９）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【０１４６】
（処理の流れ：通信制御処理（第２の例））
図１３は、第２の実施形態の変形例に係る通信制御処理の概略的な流れの第２の例を示すシーケンス図である。
【０１４７】
前提として、移動体通信端末５０は、移動体通信ネットワーク３０に接続されている。また、無線通信端末６０は、無線通信ネットワーク４０に接続されている。また、移動体通信端末５０及び無線通信端末６０は、第２の無線通信方式での通信で互いに接続されている。
【０１４８】
まず、無線通信ネットワーク４０の通信ノード２００は、判定処理を行う（Ｓ１２７０）。当該判定処理は、例えば、図６を参照して説明した判定処理（Ｓ１１１０）と同一の処理である。
【０１４９】
その後、通信ノード２００は、移動体通信ネットワーク３０の通信ノードに、移動体通信端末５０の動作モードの切替えを要求する（Ｓ１２８１）。すると、移動体通信ネットワーク３０の上記通信ノードは、上記動作モードの切替え後に行われる無線通信端末６０の通信の切替え（即ち、テザリングによる通信への切替え）に対する承認を行う（Ｓ１２８３）。そして、当該通信ノードは、モード切替えメッセージ及び通信切替えメッセージを移動体通信端末５０へ送信する（Ｓ１２８５）。
【０１５０】
すると、移動体通信端末５０は、第２の無線通信方式（例えば、Ｂｌｕｅｔｏｏｔｈ）で、上記通信切替えメッセージを無線通信端末６０へ送信する（Ｓ１２８７）。そして、無線通信端末６０は、これに対して応答する（Ｓ１２８９）。
【０１５１】
また、移動体通信端末５０は、上記第１の無線通信方式での通信についての動作モードを第１のモード（例えば、停止モード又は省電力モード）から第２のモード（例えば、通常モード）に切り替える（Ｓ１２９１）。
【０１５２】
その後、移動体通信端末５０及び無線通信端末６０は、上記第２の通信（即ち、テザリングによる通信）への通信の切替えのために、第１の無線通信方式での通信でダイレクトに接続するための接続処理を行う（Ｓ１２９３）。その結果、移動体通信端末５０及び無線通信端末６０が、第１の無線通信方式での通信で互いに接続される。また、上述したように、移動体通信端末５０は、移動体通信ネットワーク３０に接続されているので、テザリングによる通信が可能になる。
【０１５３】
＜＜４．第３の実施形態＞＞
図１４〜図１９を参照して、本開示の第３の実施形態を説明する。第３の実施形態では、無線通信端末が、本開示の実施形態に係る制御を行う。即ち、本開示の実施形態に係る当該制御を行う通信制御装置は、無線通信端末である。
【０１５４】
＜４．１．通信システムの構成＞
まず、図１４を参照して、本開示の第３の実施形態に係る通信システムの概略的な構成を説明する。図１４は、本開示の第３の実施形態に係る通信システムの概略的な構成の一例を示す説明図である。図１４を参照すると、通信システムは、移動体通信ネットワーク３０、無線通信ネットワーク４０、移動体通信端末５０及び無線通信端末３００を含む。
【０１５５】
なお、移動体通信ネットワーク３０、無線通信ネットワーク４０及び移動体通信端末５０についての説明は、第１の実施形態におけるこれらの説明と同一である。よって、ここでは重複する説明を省略する。
【０１５６】
（無線通信端末３００）
無線通信端末３００は、無線通信ネットワーク４０を介して通信する。即ち、無線通信端末３００は、無線通信ネットワーク４０のサービスエリアにおいて無線通信を行う。具体的には、例えば、無線通信端末３００は、無線通信ネットワーク４０のサービスエリア内に位置する場合に、無線通信ネットワーク４０のアクセスポイントと通信する。
【０１５７】
また、無線通信端末３００は、上記第１の無線通信方式（例えば、ＷＬＡＮのための通信方式）をサポートし、上記第１の無線通信方式で通信する。また、例えば、無線通信端末３００は、上記第２の無線通信方式（例えば、Ｂｌｕｅｔｏｏｔｈ）もサポートし、上記第２の無線通信方式で通信する。
【０１５８】
とりわけ第３の実施形態では、無線通信端末３００が、移動体通信端末５０の消費電力を抑えつつ通信を速やかに切り替えることを可能にする。
【０１５９】
＜４．２．無線通信端末の構成＞
図１５を参照して、第３の実施形態に係る無線通信端末３００の構成の一例を説明する。図１５は、第３の実施形態に係る無線通信端末３００の構成の一例を示すブロック図である。図１５を参照すると、無線通信端末３００は、第１無線通信部３１０、第２無線通信部３２０、記憶部３３０及び処理部３４０を備える。
【０１６０】
（第１無線通信部３１０）
第１無線通信部３１０は、上記第１の無線通信方式で通信する。例えば、第１無線通信部３１０は、上記第１の無線通信方式で無線通信ネットワーク４０（例えば、ＷＬＡＮ）のアクセスポイントと通信する。また、例えば、第１無線通信部３１０は、上記第１の無線通信方式で移動体通信端末５０とダイレクトに通信する。
【０１６１】
（第２無線通信部３２０）
第２無線通信部３２０は、上記第２の無線通信方式で通信する。例えば、第２無線通信部３２０は、上記第２の無線通信方式で移動体通信端末５０とダイレクトに通信する。
【０１６２】
（記憶部３３０）
記憶部３３０は、無線通信端末３００の動作のためのプログラム及びデータを一時的にまたは恒久的に記憶する。
【０１６３】
（処理部３４０）
処理部３４０は、無線通信端末３００の様々な機能を提供する。処理部３４０は、判定部３４１、判定結果取得部３４３及び切替制御部３４５を含む。
【０１６４】
（判定部３４１）
判定部３４１は、無線通信ネットワーク４０への無線通信端末３００の接続に関連する所定の条件が満たされるかの判定を行う。
【０１６５】
一例として、上記所定の条件は、１つ以上のＯＲ条件を含む。そして、当該１つ以上のＯＲ条件のいずれかが満たされると、上記所定の条件が満たされる。
【０１６６】
−通信品質
例えば、上記所定の条件は、無線通信ネットワーク４０における無線通信端末３００の通信についての通信品質に基づいて判定される条件である。
【０１６７】
より具体的には、例えば、上記所定の条件は、無線通信ネットワーク４０における無線通信端末３００の通信についての通信品質が所定の品質を下回るか否かに基づいて判定される条件である。この場合に、上記所定の条件は、例えば、上記通信品質が所定の品質を下回っていれば満たされる。
【０１６８】
これにより、例えば、無線通信ネットワーク４０における無線通信端末３００の通信品質の悪化に応じて通信を切り替えることが可能になる。即ち、無線通信ネットワーク４０への無線通信端末３００の接続が切断されそうな場合に、通信が切り替えられ得る。
【０１６９】
第１の例として、上記通信品質は、無線通信ネットワーク４０で無線通信端末３００が受信する信号の受信強度を含む。この場合に、上記所定の条件は、例えば、当該受信強度が所定の閾値を下回っていれば満たされる。一例として、上記１つ以上のＯＲ条件の１つが、上記受信強度が上記所定の閾値を下回っていることである。
【０１７０】
第２の例として、上記通信品質は、無線通信ネットワーク４０における無線通信端末３００の通信についてのエラーレートを含む。この場合に、上記所定の条件は、例えば、当該エラーレートが所定の閾値を上回っていれば満たされる。一例として、上記１つ以上のＯＲ条件の１つが、上記エラーレートが上記所定の閾値を上回っていることである。
【０１７１】
第３の例として、上記通信品質は、無線通信ネットワーク４０における無線通信端末３００の通信についての再送回数を含む。この場合に、上記所定の条件は、例えば、当該再送回数が所定の閾値を上回っていれば満たされる。一例として、上記１つ以上のＯＲ条件の１つが、上記再送回数が上記所定の閾値を上回っていることである。
【０１７２】
なお、上記通信品質は、例えば、無線通信端末３００により測定される。
【０１７３】
以上のように、判定部３４１は、上記判定（即ち、無線通信ネットワーク４０への無線通信端末３００の接続に関連する所定の条件が満たされるかの判定）を行う。そして、判定部３４１は、上記判定の結果を判定結果取得部３４３に提供する。例えば、判定部３４１は、上記所定の条件が満たされると、当該所定の条件の判定の結果（即ち、上記所定の条件が満たされることを示す結果）を判定結果取得部３４３に提供する。なお、判定部３４１は、上記所定の条件が満たされない場合に、上記所定の条件の判定の結果（即ち、上記所定の条件が満たされないことを示す結果）を判定結果取得部３４３に提供してもよく、あるいは上記結果を判定結果取得部３４３に提供しなくてもよい。
【０１７４】
（判定結果取得部３４３）
判定結果取得部３４３は、上記判定（即ち、無線通信ネットワーク４０への無線通信端末３００の接続に関連する所定の条件が満たされるかの判定）の結果を取得する。
【０１７５】
例えば、判定部３４１は、上記所定の条件の判定の結果を判定結果取得部３４３に提供する。そして、判定結果取得部３４３は、当該結果を取得する。
【０１７６】
（切替制御部３４５）
−移動体通信端末５０の動作モードの切替え
切替制御部３４５は、上記所定の条件が満たされる場合に、移動体通信ネットワーク３０を介して通信する移動体通信端末５０に動作モードを第１のモードから第２のモードに切り替えさせる制御（即ち、モード切替え制御）を行う。
【０１７７】
なお、第１の実施形態においても説明したとおり、上記動作モードは、上記第１の無線通信方式での通信（例えば、ＷＬＡＮ通信）についての動作モードである。また、上記第１のモードは、上記第２のモードより消費電力が小さいモード（例えば、停止モード又は省電力モード）であり、上記第２のモードは、移動体通信端末５０が上記第１の無線通信方式でデータを送信し又は受信することが可能なモード（例えば、通常モード）である。
【０１７８】
−−具体的な制御
例えば、上記モード切替え制御は、上記第１のモードから上記第２のモードへの上記動作モードの切替えを要求するメッセージ（即ち、モード切替えメッセージ）の移動体通信端末５０への送信をトリガすることである。即ち、切替制御部３４５は、上記モード切替えメッセージの移動体通信端末５０への送信をトリガする。
【０１７９】
一例として、移動体通信ネットワーク３０のいずれかの通信ノード（例えば、基地局又はコアネットワークノード）が、上記モード切替えメッセージを送信する。この場合に、切替制御部３４５は、上記通信ノードによる上記モード切替えメッセージの送信をトリガする。具体的には、例えば、切替制御部３４５は、第１無線通信部３１０を介して、無線通信ネットワーク４０及び移動体通信ネットワーク３０経由で、上記通信ノードに上記動作モードの切替えを要求する。すると、上記通信ノードは、上記動作モードの切替え後に行われる無線通信端末３００の通信の切替え（即ち、テザリングによる通信への切替え）に対する承認を行い、上記モード切替えメッセージを移動体通信端末５０へ送信する。その結果、移動体通信端末５０は、上記動作モードを上記第１のモードから上記第２のモードに切り替える。
【０１８０】
なお、上記モード切替えメッセージは、例えば、移動体通信ネットワーク３０を介して移動体通信端末５０へ送信されるメッセージである。
【０１８１】
以上のように、移動体通信端末５０の動作モードが、第１のモード（例えば、停止モード又は省電力モード）から第２のモード（例えば、通常モード）へ切り替えられる。これにより、移動体通信端末５０の消費電力を抑えつつ通信を速やかに切り替えることが可能になる。この点については、第１の実施形態において説明したとおりである。
【０１８２】
なお、上記モード切替えメッセージは、移動体通信ネットワーク３０の通信ノードにより送信される代わりに、無線通信端末３００により無線通信ネットワーク４０及び移動体通信ネットワーク３０を介して移動体通信端末５０へ送信されてもよい。
【０１８３】
−無線通信端末３００の通信の切替え
さらに、例えば、切替制御部３４５は、上記所定の条件が満たされる場合に、無線通信端末３００に無線通信ネットワーク４０を介した第１の通信から移動体通信端末５０及び移動体通信ネットワーク３０を介した第２の通信へ通信を切り替えさせるさらなる制御（即ち、通信切替え制御）を行う。即ち、当該通信切替え制御は、無線通信端末３００に無線通信ネットワーク４０を介した通信（第１の通信）からテザリングによる通信（第２の通信）へ通信を切り替えさせる制御である。
【０１８４】
−−具体的な制御
例えば、切替制御部３４５は、上記所定の条件が満たされると、無線通信ネットワーク４０を介した通信を停止し、上記第１の無線通信方式での通信で移動体通信端末５０とダイレクトに接続するための接続処理を行う。
【０１８５】
＜４．３．処理の流れ＞
続いて、図１６を参照して、第３の実施形態に係る通信制御処理を説明する。
【０１８６】
（通信制御処理）
図１６は、第３の実施形態に係る通信制御処理の概略的な流れの一例を示すシーケンス図である。
【０１８７】
前提として、移動体通信端末５０は、移動体通信ネットワーク３０に接続されている。また、無線通信端末３００は、無線通信ネットワーク４０に接続されている。
【０１８８】
まず、無線通信端末３００は、判定処理を行う（Ｓ１３１０）。即ち、無線通信端末３００は、無線通信ネットワーク４０への無線通信端末３００の接続に関連する所定の条件が満たされるかの判定を行う。そして、例えば、当該所定の条件が満たされると判定される。なお、無線通信端末３００は、上記判定処理に必要な情報を自ら生成し得る。
【０１８９】
その後、無線通信端末３００は、無線通信ネットワーク４０を介して、移動体通信ネットワーク３０の通信ノードに、移動体通信端末５０の動作モードの切替えを要求する（Ｓ１３２１）。すると、移動体通信ネットワーク３０の上記通信ノードは、上記動作モードの切替え後に行われる無線通信端末３００の通信の切替え（即ち、テザリングによる通信への切替え）に対する承認を行う（Ｓ１３２３）。そして、当該通信ノードは、モード切替えメッセージを移動体通信端末５０へ送信する（Ｓ１３２５）。当該モード切替えメッセージは、第１の無線通信方式での通信（例えば、ＷＬＡＮ通信）についての動作モードの切替えを要求するメッセージである。すると、移動体通信端末５０は、上記第１の無線通信方式での通信についての動作モードを第１のモード（例えば、停止モード又は省電力モード）から第２のモード（例えば、通常モード）に切り替える（Ｓ１３２７）。
【０１９０】
そして、移動体通信端末５０及び無線通信端末３００は、第２の通信（即ち、テザリングによる通信）への通信の切替えのために、第１の無線通信方式での通信でダイレクトに接続するための接続処理を行う（Ｓ１３２９）。その結果、移動体通信端末５０及び無線通信端末３００が、第１の無線通信方式での通信で互いに接続される。また、上述したように、移動体通信端末５０は、移動体通信ネットワーク３０に接続されているので、テザリングによる通信が可能になる。
【０１９１】
（判定処理）
図１７は、第３の実施形態に係る判定処理の概略的な流れの一例を示すフローチャートである。当該判定処理は、図１６のステップＳ１３１０に対応する処理である。
【０１９２】
まず、判定の結果を示すフラグが０に初期化される（Ｓ１３１１）。
【０１９３】
そして、判定部３４１は、無線通信ネットワーク４０で無線通信端末３００が受信する信号の受信強度が閾値Ｔ１を下回るかを判定する（Ｓ１３１２）。当該受信強度が閾値Ｔ１を下回れば（Ｓ１３１２：ＹＥＳ）、フラグが１に変更される（Ｓ１３１５）。そして、処理は終了する。
【０１９４】
また、判定部３４１は、無線通信ネットワーク４０における無線通信端末３００の通信についてのエラーレートが閾値Ｔ２を上回るかを判定する（Ｓ１３１３）。当該エラーレートが閾値Ｔ２を上回れば（Ｓ１３１３：ＹＥＳ）、フラグが１に変更される（Ｓ１３１５）。そして、処理は終了する。
【０１９５】
また、判定部３４１は、無線通信ネットワーク４０における無線通信端末３００の通信についての再送回数が閾値Ｔ３を上回るかを判定する（Ｓ１３１４）。当該再送回数が閾値Ｔ３を上回れば（Ｓ１３１４：ＹＥＳ）、フラグが１に変更される（Ｓ１３１５）。そして、処理は終了する。
【０１９６】
また、いずれの判定の結果も偽であれば、フラグが０のまま処理は終了する。
【０１９７】
なお、フラグは、１である場合に、無線通信ネットワーク４０への無線通信端末３００の接続に関連する所定の条件が満たされることを示し、０である場合に、当該所定の条件が満たされないことを示す。
【０１９８】
＜４．４．変形例＞
続いて、図１８及び図１９を参照して、第３の実施形態の変形例を説明する。当該変形例では、移動体通信端末５０及び無線通信端末３００によりサポートされる第２の無線通信方式（例えば、近距離無線通信の通信方式）で、上記モード切替えメッセージが送信される。
【０１９９】
（無線通信端末３００：判定部３４１）
−接続の状態
例えば、上記所定の条件は、無線通信ネットワーク４０への無線通信端末３００の接続の状態に基づいて判定される条件である。
【０２００】
より具体的には、例えば、上記所定の条件は、無線通信ネットワーク４０への無線通信端末３００の接続が切断されているか否かに基づいて判定される条件である。この場合に、上記所定の条件は、例えば、無線通信ネットワーク４０への無線通信端末３００の接続が切断されていれば満たされる。一例として、上記１つ以上のＯＲ条件の１つが、無線通信ネットワーク４０への無線通信端末６０の接続が切断されていることである。
【０２０１】
これにより、例えば、無線通信ネットワーク４０への無線通信端末３００の接続が切断された場合に通信が切り替えられ得る。
【０２０２】
（無線通信端末３００：切替制御部３４５）
−移動体通信端末５０の動作モードの切替え
−−具体的な制御
第３の実施形態の変形例によれば、上記モード切替えメッセージは、上記第２の無線通信方式（例えば、近距離無線通信の通信方式）で無線通信端末３００から移動体通信端末５０へ送信されるメッセージである。
【０２０３】
一例として、無線通信端末３００は、上記第２の無線通信方式で、上記モード切替えメッセージを移動体通信端末５０へ送信する。
【０２０４】
（処理の流れ：通信制御処理）
図１８は、第３の実施形態の変形例に係る通信制御処理の概略的な流れの一例を示すシーケンス図である。
【０２０５】
前提として、移動体通信端末５０は、移動体通信ネットワーク３０に接続されている。また、無線通信端末３００は、無線通信ネットワーク４０に接続されている。また、移動体通信端末５０及び無線通信端末３００は、第２の無線通信方式での通信で互いに接続されている。
【０２０６】
まず、無線通信端末３００は、判定処理を行う（Ｓ１３４０）。即ち、無線通信端末３００は、無線通信ネットワーク４０への無線通信端末３００の接続に関連する所定の条件が満たされるかの判定を行う。そして、例えば、当該所定の条件が満たされると判定される。なお、無線通信端末３００は、上記判定処理に必要な情報を自ら生成し得る。
【０２０７】
その後、無線通信端末３００は、第２の無線通信方式（例えば、Ｂｌｕｅｔｏｏｔｈ）で、モード切替えメッセージを移動体通信端末５０へ送信する（Ｓ１３５１）。そして、移動体通信端末５０は、これに対して応答する（Ｓ１３５３）。そして、移動体通信端末５０は、上記第１の無線通信方式での通信についての動作モードを第１のモード（例えば、停止モード又は省電力モード）から第２のモード（例えば、通常モード）に切り替える（Ｓ１３５５）。
【０２０８】
そして、移動体通信端末５０及び無線通信端末３００は、第２の通信（即ち、テザリングによる通信）への通信の切替えのために、第１の無線通信方式での通信でダイレクトに接続するための接続処理を行う（Ｓ１３５７）。その結果、移動体通信端末５０及び無線通信端末３００が、第１の無線通信方式での通信で互いに接続される。また、上述したように、移動体通信端末５０は、移動体通信ネットワーク３０に接続されているので、テザリングによる通信が可能になる。
【０２０９】
（判定処理）
図１９は、第３の実施形態の変形例に係る判定処理の概略的な流れの一例を示すフローチャートである。当該判定処理は、図１８のステップＳ１３４０に対応する処理である。
【０２１０】
まず、判定の結果を示すフラグが０に初期化される（Ｓ１３４１）。
【０２１１】
そして、判定部３４１は、無線通信ネットワーク４０への無線通信端末３００の接続が切断されているかを判定する（Ｓ１３４２）。当該接続が切断されていれば（Ｓ１３４２：ＹＥＳ）、フラグが１に変更される（Ｓ１３４６）。そして、処理は終了する。
【０２１２】
また、判定部３４１は、無線通信ネットワーク４０で無線通信端末３００が受信する信号の受信強度が閾値Ｔ１を下回るかを判定する（Ｓ１３４３）。当該受信強度が閾値Ｔ１を下回れば（Ｓ１３４３：ＹＥＳ）、フラグが１に変更される（Ｓ１３４６）。そして、処理は終了する。
【０２１３】
また、判定部３４１は、無線通信ネットワーク４０における無線通信端末３００の通信についてのエラーレートが閾値Ｔ２を上回るかを判定する（Ｓ１３４４）。当該エラーレートが閾値Ｔ２を上回れば（Ｓ１３４４：ＹＥＳ）、フラグが１に変更される（Ｓ１３４６）。そして、処理は終了する。
【０２１４】
また、判定部３４１は、無線通信ネットワーク４０における無線通信端末３００の通信についての再送回数が閾値Ｔ３を上回るかを判定する（Ｓ１３４５）。当該再送回数が閾値Ｔ３を上回れば（Ｓ１３４５：ＹＥＳ）、フラグが１に変更される（Ｓ１３４６）。そして、処理は終了する。
【０２１５】
また、いずれの判定の結果も偽であれば、フラグが０のまま処理は終了する。
【０２１６】
なお、フラグは、１である場合に、無線通信ネットワーク４０への無線通信端末３００の接続に関連する所定の条件が満たされることを示し、０である場合に、当該所定の条件が満たされないことを示す。
【０２１７】
＜＜５．第４の実施形態＞＞
図２０〜図２３を参照して、本開示の第４の実施形態を説明する。第４の実施形態では、移動体通信端末が、本開示の実施形態に係る制御を行う。即ち、本開示の実施形態に係る当該制御を行う通信制御装置は、移動体通信端末である。
【０２１８】
＜５．１．通信システムの構成＞
まず、図２０を参照して、本開示の第４の実施形態に係る通信システムの概略的な構成を説明する。図２０は、本開示の第４の実施形態に係る通信システムの概略的な構成の一例を示す説明図である。図２０を参照すると、通信システムは、移動体通信ネットワーク３０、無線通信ネットワーク４０、移動体通信端末４００及び無線通信端末６０を含む。
【０２１９】
なお、移動体通信ネットワーク３０、無線通信ネットワーク４０及び無線通信端末６０についての説明は、第１の実施形態におけるこれらの説明と同一である。よって、ここでは重複する説明を省略する。
【０２２０】
（移動体通信端末４００）
移動体通信端末４００は、移動体通信ネットワーク３０を介して通信する。即ち、移動体通信端末４００は、移動体通信ネットワーク３０のサービスエリアにおいて移動体通信を行う。具体的には、例えば、移動体通信端末４００は、移動体通信ネットワーク３０のセル内に位置する場合に、当該セルの基地局と通信する。
【０２２１】
また、移動体通信端末４００は、上記第１の無線通信方式（例えば、ＷＬＡＮのための通信方式）をサポートし、上記第１の無線通信方式で通信する。また、例えば、移動体通信端末４００は、上記第２の無線通信方式（例えば、Ｂｌｕｅｔｏｏｔｈ）もサポートし、上記第２の無線通信方式で通信する。
【０２２２】
とりわけ第４の実施形態では、移動体通信端末４００が、移動体通信端末４００の消費電力を抑えつつ通信を速やかに切り替えることを可能にする。
【０２２３】
＜５．２．移動体通信端末の構成＞
図２１を参照して、第４の実施形態に係る移動体通信端末４００の構成の一例を説明する。図２１は、第４の実施形態に係る移動体通信端末４００の構成の一例を示すブロック図である。図２１を参照すると、移動体通信端末４００は、移動体通信部４１０、第１無線通信部４２０、第２無線通信部４３０、記憶部４４０及び処理部４５０を備える。
【０２２４】
（移動体通信部４１０）
移動体通信部４１０は、移動体通信ネットワーク３０を介して通信する。例えば、移動体通信部４１０は、移動体通信ネットワーク３０の基地局と通信する。
【０２２５】
（第１無線通信部４２０）
第１無線通信部４２０は、上記第１の無線通信方式で通信する。例えば、第１無線通信部４２０は、上記第１の無線通信方式で無線通信ネットワーク４０（例えば、ＷＬＡＮ）のアクセスポイントと通信する。また、例えば、第１無線通信部４２０は、上記第１の無線通信方式で無線通信端末６０とダイレクトに通信する。
【０２２６】
（第２無線通信部４３０）
第２無線通信部４３０は、上記第２の無線通信方式で通信する。例えば、第２無線通信部４３０は、上記第２の無線通信方式で無線通信端末６０とダイレクトに通信する。
【０２２７】
（記憶部４４０）
記憶部４４０は、移動体通信端末４００の動作のためのプログラム及びデータを一時的にまたは恒久的に記憶する。
【０２２８】
（処理部４５０）
処理部４５０は、移動体通信端末４００の様々な機能を提供する。処理部４５０は、判定部４５１、判定結果取得部４５３及び切替制御部４５５を含む。
【０２２９】
ここで、第４の実施形態に係る判定部４５１及び判定結果取得部４５３は、例えば、第１の実施形態に係る判定部１３１及び判定結果取得部１３３と機能的に同一である。よって、ここでは、切替制御部４５５のみを説明する。
【０２３０】
（切替制御部４５５）
−移動体通信端末４００の動作モードの切替え
切替制御部４５５は、上記所定の条件が満たされる場合に、移動体通信ネットワーク３０を介して通信する移動体通信端末４００に動作モードを第１のモードから第２のモードに切り替えさせる制御（即ち、モード切替え制御）を行う。
【０２３１】
なお、第１の実施形態においても説明したとおり、上記動作モード、は、上記第１の無線通信方式での通信（例えば、ＷＬＡＮ通信）についての動作モードである。また、上記第１のモードは、上記第２のモードより消費電力が小さいモード（例えば、停止モード又は省電力モード）であり、上記第２のモードは、移動体通信端末４００が上記第１の無線通信方式でデータを送信し又は受信することが可能なモード（例えば、通常モード）である。
【０２３２】
−−具体的な制御
例えば、切替制御部４５５は、上記所定の条件が満たされると、上記第１の無線通信方式での通信についての動作モード（例えば、第１無線通信部４２０の動作モード）を第１のモードから第２のモードに切り替える。
【０２３３】
以上のように、移動体通信端末４００の動作モードが、第１のモード（例えば、停止モード又は省電力モード）から第２のモード（例えば、通常モード）へ切り替えられる。これにより、移動体通信端末４００の消費電力を抑えつつ通信を速やかに切り替えることが可能になる。この点については、第１の実施形態において説明したとおりである。
【０２３４】
−無線通信端末６０の通信の切替え
さらに、例えば、切替制御部４５５は、上記所定の条件が満たされる場合に、無線通信端末６０に無線通信ネットワーク４０を介した第１の通信から移動体通信端末４００及び移動体通信ネットワーク３０を介した第２の通信へ通信を切り替えさせるさらなる制御（即ち、通信切替え制御）を行う。即ち、当該通信切替え制御は、無線通信端末６０に無線通信ネットワーク４０を介した通信（第１の通信）からテザリングによる通信（第２の通信）へ通信を切り替えさせる制御である。
【０２３５】
−−具体的な制御
例えば、上記通信切替え制御は、上記第１の通信から上記第２の通信への通信の切替えを要求するメッセージ（即ち、通信切替えメッセージ）の無線通信端末６０への送信をトリガすることである。即ち、切替制御部４５５は、上記通信切替えメッセージの無線通信端末６０への送信をトリガする。
【０２３６】
一例として、移動体通信端末４００が、上記通信切替えメッセージを送信する。この場合に、切替制御部４５５は、移動体通信端末４００（処理部４５０）による上記通信切替えメッセージの送信をトリガする。すると、移動体通信端末４００（処理部４５０）は、無線通信端末６０へ上記通信切替えメッセージを送信する。その結果、無線通信端末６０は、無線通信ネットワーク４０を介した通信からテザリングによる通信に通信を切り替える。
【０２３７】
なお、上記通信切替えメッセージは、例えば、無線通信ネットワーク４０を介して無線通信端末６０へ送信されるメッセージである。例えば、移動体通信端末４００は、上記通信切替えメッセージを移動体通信ネットワーク３０及び無線通信ネットワーク４０を介して無線通信端末６０へ送信する。
【０２３８】
以上のように、無線通信端末６０の通信が、ＷＬＡＮを介した通信からテザリングによる通信へ切り替えられる。これにより、無線通信端末６０の通信を確実に切り替えることが可能になる。
【０２３９】
なお、上記通信切替えメッセージは、移動体通信端末４００により送信される代わりに、移動体通信ネットワーク３０の通信ノードにより無線通信ネットワーク４０を介して無線通信端末６０へ送信されてもよい。
【０２４０】
＜５．３．処理の流れ＞
続いて、図２２を参照して、第４の実施形態に係る通信制御処理を説明する。
【０２４１】
（通信制御処理）
図２２は、第４の実施形態に係る通信制御処理の概略的な流れの一例を示すシーケンス図である。
【０２４２】
前提として、移動体通信端末４００は、移動体通信ネットワーク３０に接続されている。また、無線通信端末６０は、無線通信ネットワーク４０に接続されている。
【０２４３】
まず、移動体通信端末４００は、判定処理を行う（Ｓ１４１０）。即ち、移動体通信端末４００は、無線通信ネットワーク４０への無線通信端末６０の接続に関連する所定の条件が満たされるかの判定を行う。そして、例えば、当該所定の条件が満たされると判定される。なお、移動体通信端末４００は、上記判定処理に必要な情報を、無線通信ネットワーク４０の通信ノード及び／又は移動体通信ネットワーク３０の通信ノードから取得し得る。また、上記判定処理は、例えば、図６を参照して説明した判定処理（Ｓ１１１０）と同一の処理である。
【０２４４】
その後、移動体通信端末４００は、移動体通信ネットワーク３０及び無線通信ネットワーク４０を介して、通信切替えメッセージを無線通信端末６０へ送信する（Ｓ１４２１）。当該通信切替えメッセージは、第１の通信（例えば、無線通信ネットワーク４０を介した通信）から第２の通信（即ち、テザリングによる通信）への通信の切替えを要求するメッセージである。
【０２４５】
また、移動体通信端末４００は、上記第１の無線通信方式での通信についての動作モードを第１のモード（例えば、停止モード又は省電力モード）から第２のモード（例えば、通常モード）に切り替える（Ｓ１４２３）。
【０２４６】
そして、移動体通信端末４００及び無線通信端末６０は、上記第２の通信への通信の切替えのために、第１の無線通信方式での通信でダイレクトに接続するための接続処理を行う（Ｓ１４２５）。その結果、移動体通信端末４００及び無線通信端末６０が、第１の無線通信方式での通信で互いに接続される。また、上述したように、移動体通信端末４００は、移動体通信ネットワーク３０に接続されているので、テザリングによる通信が可能になる。
【０２４７】
＜５．４．変形例＞
続いて、図２３を参照して、第４の実施形態の変形例を説明する。当該変形例では、移動体通信端末４００及び無線通信端末６０によりサポートされる第２の無線通信方式（例えば、近距離無線通信の通信方式）で、上記通信切替えメッセージが送信される。
【０２４８】
（移動体通信端末４００：判定部４５１）
第４の実施形態の変形例に係る判定部４５１及び判定結果取得部４５３は、例えば、第１の実施形態に係る判定部１３１及び判定結果取得部１３３と機能的に同一である。この場合に、判定処理に必要な情報は、無線通信ネットワーク４０の通信ノード及び／若しくは移動体通信ネットワーク３０の通信ノードなどにより提供され、又は移動体通信端末４００により生成され得る。
【０２４９】
なお、判定部４５１及び判定結果取得部４５３は、第３の実施形態に係る判定部３４１及び判定結果取得部３４３と機能的に同一であってもよい。この場合に、判定処理に必要な情報は、無線通信端末６０により提供されてもよい。
【０２５０】
（移動体通信端末４００：切替制御部４５５）
−無線通信端末６０の通信の切替え
−−具体的な制御
第４の実施形態の変形例によれば、上記通信切替えメッセージは、上記第２の無線通信方式（例えば、近距離無線通信の通信方式）で移動体通信端末４００から無線通信端末６０へ送信されるメッセージである。
【０２５１】
一例として、移動体通信端末４００は、上記第２の無線通信方式で、上記通信切替えメッセージを無線通信端末６０へ送信する。その結果、無線通信端末６０は、無線通信ネットワーク４０を介した通信からテザリングによる通信に通信を切り替える。
【０２５２】
（処理の流れ：通信制御処理）
図２３は、第４の実施形態の変形例に係る通信制御処理の概略的な流れの一例を示すシーケンス図である。
【０２５３】
前提として、移動体通信端末４００は、移動体通信ネットワーク３０に接続されている。また、無線通信端末６０は、無線通信ネットワーク４０に接続されている。また、移動体通信端末４００及び無線通信端末６０は、第２の無線通信方式での通信で互いに接続されている。
【０２５４】
まず、移動体通信端末４００は、判定処理を行う（Ｓ１４３０）。即ち、移動体通信端末４００は、無線通信ネットワーク４０への無線通信端末６０の接続に関連する所定の条件が満たされるかの判定を行う。なお、上記判定処理は、例えば、図６を参照して説明した判定処理（Ｓ１１１０）又は図１９を参照して説明した判定処理（Ｓ１３４０）と同一の処理である。
【０２５５】
その後、移動体通信端末４００は、第２の無線通信方式（例えば、Ｂｌｕｅｔｏｏｔｈ）で、通信切替えメッセージを無線通信端末６０へ送信する（Ｓ１４４１）。そして、無線通信端末６０は、これに対して応答する（Ｓ１４４３）。
【０２５６】
また、移動体通信端末４００は、上記第１の無線通信方式での通信についての動作モードを第１のモード（例えば、停止モード又は省電力モード）から第２のモード（例えば、通常モード）に切り替える（Ｓ１４４５）。
【０２５７】
そして、移動体通信端末４００及び無線通信端末６０は、第２の通信（即ち、テザリングによる通信）への通信の切替えのために、第１の無線通信方式での通信でダイレクトに接続するための接続処理を行う（Ｓ１４４７）。その結果、移動体通信端末４００及び無線通信端末６０が、第１の無線通信方式での通信で互いに接続される。また、上述したように、移動体通信端末４００は、移動体通信ネットワーク３０に接続されているので、テザリングによる通信が可能になる。
【０２５８】
＜＜６．応用例＞＞
図２４〜図３１を参照して、本開示に係る技術の応用例を説明する。
【０２５９】
＜６．１．移動体通信ネットワークの通信ノードに関する応用例＞
まず、図２４〜図２６を参照して、移動体通信ネットワーク３０の通信ノード１００の応用例を説明する。
【０２６０】
例えば、第１の実施形態に係る通信ノード１００（即ち、移動体通信ネットワーク３０の通信ノード１００）は、基地局以外のノード（例えば、コアネットワークノード）であってもよく、タワーサーバ、ラックサーバ、又はブレードサーバなどのいずれかの種類のサーバとして実現されてもよい。また、通信ノード１００は、サーバに搭載される制御モジュール（例えば、１つのダイで構成される集積回路モジュール、又はブレードサーバのスロットに挿入されるカード若しくはブレード）であってもよい。
【０２６１】
また、例えば、通信ノード１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、通信ノード１００は、ＮｏｄｅＢ又はＢＴＳ（Base  Transceiver  Station）などの他の種類の基地局として実現されてもよい。通信ノード１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、通信ノード１００として動作してもよい。
【０２６２】
（第１の応用例）
図２４は、本開示に係る技術が適用され得るサーバ５００の概略的な構成の一例を示すブロック図である。サーバ５００は、プロセッサ５０１、メモリ５０２、ストレージ５０３、ネットワークインタフェース５０４及びバス５０６を備える。
【０２６３】
プロセッサ５０１は、例えばＣＰＵ（Central  Processing  Unit）又はＤＳＰ（Digital  Signal  Processor）であってよく、サーバ５００の各種機能を制御する。メモリ５０２は、ＲＡＭ（Random  Access  Memory）及びＲＯＭ（Read  Only  Memory）を含み、プロセッサ５０１により実行されるプログラム及びデータを記憶する。ストレージ５０３は、半導体メモリ又はハードディスクなどの記憶媒体を含み得る。
【０２６４】
ネットワークインタフェース５０４は、サーバ５００を有線通信ネットワーク５０５に接続するための有線通信インタフェースである。有線通信ネットワーク５０５は、ＥＰＣ（Evolved  Packet  Core）などのコアネットワークであってもよい。
【０２６５】
バス５０６は、プロセッサ５０１、メモリ５０２、ストレージ５０３及びネットワークインタフェース５０４を互いに接続する。バス５０６は、速度の異なる２つ以上のバス（例えば、高速バス及び低速バス）を含んでもよい。
【０２６６】
図２４に示したサーバ５００において、図４を参照して説明した判定結果取得部１３３及び切替制御部１３５は、プロセッサ５０１において実装されてもよい。より具体的には、例えば、判定結果取得部１３３及び切替制御部１３５は、プロセッサ５０１により実行されるプログラムを記憶するメモリ５０２とプロセッサ５０１とにより実装されてもよい。当該プログラムは、ＯＳ（Operating  System）及び／又はアプリケーションソフトウェアなどであってもよい。
【０２６７】
同様に、図４を参照して説明した判定部１３１も、プロセッサ５０１において実装されてもよい。
【０２６８】
（第２の応用例）
図２５は、本開示に係る技術が適用され得るｅＮＢの概略的な構成の第１の例を示すブロック図である。ｅＮＢ５１０は、１つ以上のアンテナ５２０、及び基地局装置５３０を有する。各アンテナ５２０及び基地局装置５３０は、ＲＦケーブルを介して互いに接続され得る。
【０２６９】
アンテナ５２０の各々は、単一の又は複数のアンテナ素子（例えば、ＭＩＭＯアンテナを構成する複数のアンテナ素子）を有し、基地局装置５３０による無線信号の送受信のために使用される。ｅＮＢ５１０は、図２５に示したように複数のアンテナ５２０を有し、複数のアンテナ５２０は、例えばｅＮＢ５１０が使用する複数の周波数帯域にそれぞれ対応してもよい。なお、図２５にはｅＮＢ５１０が複数のアンテナ５２０を有する例を示したが、ｅＮＢ５１０は単一のアンテナ５２０を有してもよい。
【０２７０】
基地局装置５３０は、コントローラ５３１、メモリ５３２、ネットワークインタフェース５３３及び無線通信インタフェース５３５を備える。
【０２７１】
コントローラ５３１は、例えばＣＰＵ又はＤＳＰであってよく、基地局装置５３０の上位レイヤの様々な機能を動作させる。例えば、コントローラ５３１は、無線通信インタフェース５３５により処理された信号内のデータからデータパケットを生成し、生成したパケットをネットワークインタフェース５３３を介して転送する。コントローラ５３１は、複数のベースバンドプロセッサからのデータをバンドリングすることによりバンドルドパケットを生成し、生成したバンドルドパケットを転送してもよい。また、コントローラ５３１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ５３２は、ＲＡＭ及びＲＯＭを含み、コントローラ５３１により実行されるプログラム、及び様々な制御データ（例えば、端末リスト、送信電力データ及びスケジューリングデータなど）を記憶する。
【０２７２】
ネットワークインタフェース５３３は、基地局装置５３０をコアネットワーク５３４に接続するための通信インタフェースである。コントローラ５３１は、ネットワークインタフェース５３３を介して、コアネットワークノード又は他のｅＮＢと通信してもよい。その場合に、ｅＮＢ５１０と、コアネットワークノード又は他のｅＮＢとは、論理的なインタフェース（例えば、Ｓ１インタフェース又はＸ２インタフェース）により互いに接続されてもよい。ネットワークインタフェース５３３は、有線通信インタフェースであってもよく、又は無線バックホールのための無線通信インタフェースであってもよい。ネットワークインタフェース５３３が無線通信インタフェースである場合、ネットワークインタフェース５３３は、無線通信インタフェース５３５により使用される周波数帯域よりもより高い周波数帯域を無線通信に使用してもよい。
【０２７３】
無線通信インタフェース５３５は、ＬＴＥ（Long  Term  Evolution）又はＬＴＥ−Ａｄｖａｎｃｅｄなどのいずれかのセルラー通信方式をサポートし、アンテナ５２０を介して、ｅＮＢ５１０のセル内に位置する端末に無線接続を提供する。無線通信インタフェース５３５は、典型的には、ベースバンド（ＢＢ）プロセッサ５３６及びＲＦ回路５３７などを含み得る。ＢＢプロセッサ５３６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ５３６は、コントローラ５３１の代わりに、上述した論理的な機能の一部又は全部を有してもよい。ＢＢプロセッサ５３６は、通信制御プログラムを記憶するメモリ、当該プログラムを実行するプロセッサ及び関連する回路を含むモジュールであってもよく、ＢＢプロセッサ５３６の機能は、上記プログラムのアップデートにより変更可能であってもよい。また、上記モジュールは、基地局装置５３０のスロットに挿入されるカード若しくはブレードであってもよく、又は上記カード若しくは上記ブレードに搭載されるチップであってもよい。一方、ＲＦ回路５３７は、ミキサ、フィルタ及びアンプなどを含んでもよく、アンテナ５２０を介して無線信号を送受信する。
【０２７４】
無線通信インタフェース５３５は、図２５に示したように複数のＢＢプロセッサ５３６を含み、複数のＢＢプロセッサ５３６は、例えばｅＮＢ５１０が使用する複数の周波数帯域にそれぞれ対応してもよい。また、無線通信インタフェース５３５は、図２５に示したように複数のＲＦ回路５３７を含み、複数のＲＦ回路５３７は、例えば複数のアンテナ素子にそれぞれ対応してもよい。なお、図２５には無線通信インタフェース５３５が複数のＢＢプロセッサ５３６及び複数のＲＦ回路５３７を含む例を示したが、無線通信インタフェース５３５は単一のＢＢプロセッサ５３６又は単一のＲＦ回路５３７を含んでもよい。
【０２７５】
（第３の応用例）
図２６は、本開示に係る技術が適用され得るｅＮＢの概略的な構成の第２の例を示すブロック図である。ｅＮＢ５４０は、１つ以上のアンテナ５５０、基地局装置５６０、及びＲＲＨ５７０を有する。各アンテナ５５０及びＲＲＨ５７０は、ＲＦケーブルを介して互いに接続され得る。また、基地局装置５６０及びＲＲＨ５７０は、光ファイバケーブルなどの高速回線で互いに接続され得る。
【０２７６】
アンテナ５５０の各々は、単一の又は複数のアンテナ素子（例えば、ＭＩＭＯアンテナを構成する複数のアンテナ素子）を有し、ＲＲＨ５７０による無線信号の送受信のために使用される。ｅＮＢ５４０は、図２６に示したように複数のアンテナ５５０を有し、複数のアンテナ５５０は、例えばｅＮＢ５４０が使用する複数の周波数帯域にそれぞれ対応してもよい。なお、図２６にはｅＮＢ５４０が複数のアンテナ５５０を有する例を示したが、ｅＮＢ５４０は単一のアンテナ５５０を有してもよい。
【０２７７】
基地局装置５６０は、コントローラ５６１、メモリ５６２、ネットワークインタフェース５６３、無線通信インタフェース５６５及び接続インタフェース５６７を備える。コントローラ５６１、メモリ５６２及びネットワークインタフェース５６３は、図２５を参照して説明したコントローラ５３１、メモリ５３２及びネットワークインタフェース５３３と同様のものである。
【０２７８】
無線通信インタフェース５６５は、ＬＴＥ又はＬＴＥ−Ａｄｖａｎｃｅｄなどのいずれかのセルラー通信方式をサポートし、ＲＲＨ５７０及びアンテナ５５０を介して、ＲＲＨ５７０に対応するセクタ内に位置する端末に無線接続を提供する。無線通信インタフェース５６５は、典型的には、ＢＢプロセッサ５６６などを含み得る。ＢＢプロセッサ５６６は、接続インタフェース５６７を介してＲＲＨ５７０のＲＦ回路５７４と接続されることを除き、図２５を参照して説明したＢＢプロセッサ５３６と同様のものである。無線通信インタフェース５６５は、図２６に示したように複数のＢＢプロセッサ５６６を含み、複数のＢＢプロセッサ５６６は、例えばｅＮＢ５４０が使用する複数の周波数帯域にそれぞれ対応してもよい。なお、図２６には無線通信インタフェース５６５が複数のＢＢプロセッサ５６６を含む例を示したが、無線通信インタフェース５６５は単一のＢＢプロセッサ５６６を含んでもよい。
【０２７９】
接続インタフェース５６７は、基地局装置５６０（無線通信インタフェース５６５）をＲＲＨ５７０と接続するためのインタフェースである。接続インタフェース５６７は、基地局装置５６０（無線通信インタフェース５６５）とＲＲＨ５７０とを接続する上記高速回線での通信のための通信モジュールであってもよい。
【０２８０】
また、ＲＲＨ５７０は、接続インタフェース５７１及び無線通信インタフェース５７３を備える。
【０２８１】
接続インタフェース５７１は、ＲＲＨ５７０（無線通信インタフェース５７３）を基地局装置５６０と接続するためのインタフェースである。接続インタフェース５７１は、上記高速回線での通信のための通信モジュールであってもよい。
【０２８２】
無線通信インタフェース５７３は、アンテナ５５０を介して無線信号を送受信する。無線通信インタフェース５７３は、典型的には、ＲＦ回路５７４などを含み得る。ＲＦ回路５７４は、ミキサ、フィルタ及びアンプなどを含んでもよく、アンテナ５５０を介して無線信号を送受信する。無線通信インタフェース５７３は、図２６に示したように複数のＲＦ回路５７４を含み、複数のＲＦ回路５７４は、例えば複数のアンテナ素子にそれぞれ対応してもよい。なお、図２６には無線通信インタフェース５７３が複数のＲＦ回路５７４を含む例を示したが、無線通信インタフェース５７３は単一のＲＦ回路５７４を含んでもよい。
【０２８３】
図２５及び図２６に示したｅＮＢ５１０及びｅＮＢ５４０において、図４を参照して説明した判定結果取得部１３３及び切替制御部１３５は、コントローラ５３１及びコントローラ５６１において実装されてもよい。より具体的には、例えば、判定結果取得部１３３及び切替制御部１３５は、コントローラ５３１により実行されるプログラムを記憶するメモリ５３２とコントローラ５３１とにより実装されてもよく、コントローラ５６１により実行されるプログラムを記憶するメモリ５６２とコントローラ５６１とにより実装されてもよい。また、これら機能の少なくとも一部は、無線通信インタフェース５３５並びに無線通信インタフェース５６５及び／又は無線通信インタフェース５７３において実装されてもよい。
【０２８４】
同様に、図４を参照して説明した判定部１３１も、コントローラ５３１及びコントローラ５６１において実装されてもよい。また、この機能の少なくとも一部は、無線通信インタフェース５３５並びに無線通信インタフェース５６５及び／又は無線通信インタフェース５７３において実装されてもよい。
【０２８５】
＜６．２．無線通信ネットワークの通信ノードに関する応用例＞
次に、図２７を参照して、無線通信ネットワーク４０の通信ノード２００の応用例を説明する。
【０２８６】
例えば、第２の実施形態に係る通信ノード２００（即ち、無線通信ネットワーク４０の通信ノード２００）は、ルータ機能を有し又はルータ機能を有しないＷＬＡＮアクセスポイント（無線基地局ともいう）として実現されてもよい。また、通信ノード２００は、モバイルＷＬＡＮルータとして実現されてもよい。さらに、通信ノード２００は、これら装置に搭載される無線通信モジュール（例えば、１つのダイで構成される集積回路モジュール）であってもよい。
【０２８７】
また、例えば、通信ノード２００は、ＷＬＡＮアクセスポイント以外の制御ノードであってもよく、タワーサーバ、ラックサーバ、又はブレードサーバなどのいずれかの種類のサーバとして実現されてもよい。また、通信ノード２００は、サーバに搭載される制御モジュール（例えば、１つのダイで構成される集積回路モジュール、又はブレードサーバのスロットに挿入されるカード若しくはブレード）であってもよい。
【０２８８】
（第１の応用例）
図２７は、本開示に係る技術が適用され得る無線アクセスポイント６００の概略的な構成の一例を示すブロック図である。無線アクセスポイント６００は、コントローラ６０１、メモリ６０２、入力デバイス６０４、表示デバイス６０５、ネットワークインタフェース６０７、無線通信インタフェース６１３、アンテナスイッチ６１４及びアンテナ６１５を備える。
【０２８９】
コントローラ６０１は、例えばＣＰＵ又はＤＳＰ（Digital  Signal  Processor）であってよく、無線アクセスポイント６００のＩＰ（Internet  Protocol）レイヤ及びより上位のレイヤの様々な機能（例えば、アクセス制限、ルーティング、暗号化、ファイアウォール及びログ管理など）を動作させる。メモリ６０２は、ＲＡＭ及びＲＯＭを含み、コントローラ６０１により実行されるプログラム、及び様々な制御データ（例えば、端末リスト、ルーティングテーブル、暗号鍵、セキュリティ設定及びログなど）を記憶する。
【０２９０】
入力デバイス６０４は、例えば、ボタン又はスイッチなどを含み、ユーザからの操作を受け付ける。表示デバイス６０５は、ＬＥＤランプなどを含み、無線アクセスポイント６００の動作ステータスを表示する。
【０２９１】
ネットワークインタフェース６０７は、無線アクセスポイント６００が有線通信ネットワーク６０８に接続するための有線通信インタフェースである。ネットワークインタフェース６０７は、複数の接続端子を有してもよい。有線通信ネットワーク６０８は、イーサネット（登録商標）などのＬＡＮであってもよく、又はＷＡＮ（Wide  Area  Network）であってもよい。
【０２９２】
無線通信インタフェース６１３は、ＩＥＥＥ８０２．１１ａ、１１ｂ、１１ｇ、１１ｎ、１１ａｃ及び１１ａｄなどのＷＬＡＮ標準のうちの１つ以上をサポートし、近傍の端末へアクセスポイントとして無線接続を提供する。無線通信インタフェース６１３は、典型的には、ベースバンドプロセッサ、ＲＦ回路及びパワーアンプなどを含み得る。無線通信インタフェース６１３は、通信制御プログラムを記憶するメモリ、当該プログラムを実行するプロセッサ及び関連する回路を集積したワンチップのモジュールであってもよい。アンテナスイッチ６１４は、無線通信インタフェース６１３に含まれる複数の回路の間でアンテナ６１５の接続先を切り替える。アンテナ６１５は、単一の又は複数のアンテナ素子を有し、無線通信インタフェース６１３による無線信号の送信及び受信のために使用される。
【０２９３】
図２７に示した無線アクセスポイント６００において、図１０を参照して説明した判定結果取得部２３３及び切替制御部２３５は、コントローラ６０１において実装されてもよい。より具体的には、例えば、判定結果取得部２３３及び切替制御部２３５は、コントローラ６０１により実行されるプログラムを記憶するメモリ６０２とコントローラ６０１とにより実装されてもよい。当該プログラムは、ＯＳ及び／又はアプリケーションソフトウェアなどであってもよい。また、これら機能の少なくとも一部は、無線通信インタフェース６１３において実装されてもよい。
【０２９４】
同様に、図１０を参照して説明した判定部２３１も、コントローラ６０１において実装されてもよい。また、この機能の少なくとも一部は、無線通信インタフェース６１３において実装されてもよい。
【０２９５】
（第２の応用例）
例えば、通信ノード２００は、図２４を参照して説明したサーバ５００として実現され得る。この場合に、図２４に示したサーバ５００において、図１０を参照して説明した判定結果取得部２３３及び切替制御部２３５は、プロセッサ５０１において実装されてもよい。より具体的には、例えば、判定結果取得部２３３及び切替制御部２３５は、プロセッサ５０１により実行されるプログラムを記憶するメモリ５０２とプロセッサ５０１とにより実装されてもよい。当該プログラムは、ＯＳ及び／又はアプリケーションソフトウェアなどであってもよい。
【０２９６】
同様に、図１０を参照して説明した判定部２３１も、プロセッサ５０１において実装されてもよい。
【０２９７】
＜６．３．移動体通信端末に関する応用例＞
次に、図２８及び図２９を参照して、移動体通信端末４００の応用例を説明する。
【０２９８】
例えば、第４の実施形態に係る移動体通信端末４００は、スマートフォン、タブレットＰＣ（Personal  Computer）若しくは携帯型／ドングル型のモバイルルータなどのモバイル端末、又はカーナビゲーション装置などの車載端末として実現されてもよい。また、移動体通信端末４００は、Ｍ２Ｍ（Machine  To  Machine）通信を行う端末（ＭＴＣ（Machine  Type  Communication）端末ともいう）として実現されてもよい。さらに、移動体通信端末４００は、これら端末に搭載される無線通信モジュール（例えば、１つのダイで構成される集積回路モジュール）であってもよい。
【０２９９】
（第１の応用例）
図２８は、本開示に係る技術が適用され得るスマートフォン７００の概略的な構成の一例を示すブロック図である。スマートフォン７００は、プロセッサ７０１、メモリ７０２、ストレージ７０３、外部接続インタフェース７０４、カメラ７０５、センサ７０６、マイクロフォン７０７、入力デバイス７０８、表示デバイス７０９、スピーカ７１０、移動体通信インタフェース７１１、アンテナスイッチ７１２、アンテナ７１３、ＷＬＡＮ通信インタフェース７１４、アンテナスイッチ７１５、アンテナ７１６、Ｂｌｕｅｔｏｏｔｈ通信インタフェース７１７、アンテナスイッチ７１８、アンテナ７１９、バス７２０、バッテリー７２１及び補助コントローラ７２２を備える。
【０３００】
プロセッサ７０１は、例えばＣＰＵ又はＳｏＣ（System  on  Chip）であってよく、スマートフォン７００のアプリケーションレイヤ及びその他のレイヤの機能を制御する。メモリ７０２は、ＲＡＭ及びＲＯＭを含み、プロセッサ７０１により実行されるプログラム及びデータを記憶する。ストレージ７０３は、半導体メモリ又はハードディスクなどの記憶媒体を含み得る。外部接続インタフェース７０４は、メモリーカード又はＵＳＢ（Universal  Serial  Bus）デバイスなどの外付けデバイスをスマートフォン７００へ接続するためのインタフェースである。
【０３０１】
カメラ７０５は、例えば、ＣＣＤ（Charge  Coupled  Device）又はＣＭＯＳ（Complementary  Metal  Oxide  Semiconductor）などの撮像素子を有し、撮像画像を生成する。センサ７０６は、例えば、測位センサ、ジャイロセンサ、地磁気センサ及び加速度センサなどのセンサ群を含み得る。マイクロフォン７０７は、スマートフォン７００へ入力される音声を音声信号へ変換する。入力デバイス７０８は、例えば、表示デバイス７０９の画面上へのタッチを検出するタッチセンサ、キーパッド、キーボード、ボタン又はスイッチなどを含み、ユーザからの操作又は情報入力を受け付ける。表示デバイス７０９は、液晶ディスプレイ（ＬＣＤ）又は有機発光ダイオード（ＯＬＥＤ）ディスプレイなどの画面を有し、スマートフォン７００の出力画像を表示する。スピーカ７１０は、スマートフォン７００から出力される音声信号を音声に変換する。
【０３０２】
移動体通信インタフェース７１１は、ＬＴＥ又はＬＴＥ−Ａｄｖａｎｃｅｄなどのいずれかのセルラー通信方式をサポートし、無線通信を実行する。移動体通信インタフェース７１１は、典型的には、ベースバンド（ＢＢ）プロセッサ及びＲＦ（Radio  Frequency）回路などを含み得る。ＢＢプロセッサは、例えば、符号化／復号、変調／復調及び多重化／逆多重化などを行なってよく、無線通信のための様々な信号処理を実行する。一方、ＲＦ回路は、ミキサ、フィルタ及びアンプなどを含んでもよく、アンテナ７１３を介して無線信号を送受信する。移動体通信インタフェース７１１は、ＢＢプロセッサ及びＲＦ回路を集積したワンチップのモジュールであってもよい。移動体通信インタフェース７１１は、単一のＢＢプロセッサを含んでもよく、又は複数のＢＢプロセッサを含んでもよい。また、移動体通信インタフェース７１１は、単一のＲＦ回路を含んでもよく、又は複数のＲＦ回路を含んでもよい。アンテナスイッチ７１２は、移動体通信インタフェース７１１に含まれる複数の回路の間でアンテナ７１３の接続先を切り替える。アンテナ７１３は、単一の又は複数のアンテナ素子（例えば、ＭＩＭＯ（Multiple-Input  and  Multiple-Output）アンテナを構成する複数のアンテナ素子）を有し、移動体通信インタフェース７１１による無線信号の送受信のために使用される。
【０３０３】
ＷＬＡＮ通信インタフェース７１４は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース７１４は、インフラストラクチャーモードにおいては、他の装置とＷＬＡＮアクセスポイントを介して通信し得る。また、ＷＬＡＮ通信インタフェース７１４は、アドホックモードにおいては、他の装置と直接的に通信し得る。ＷＬＡＮ通信インタフェース７１４は、典型的には、ＢＢプロセッサ及びＲＦ回路などを含み得る。ＷＬＡＮ通信インタフェース７１４は、通信制御プログラムを記憶するメモリ、当該プログラムを実行するプロセッサ及び関連する回路を集積したワンチップのモジュールであってもよい。アンテナスイッチ７１５は、ＷＬＡＮ通信インタフェース７１４に含まれる複数の回路の間でアンテナ７１６の接続先を切り替える。アンテナ７１６は、単一の又は複数のアンテナ素子（例えば、ＭＩＭＯアンテナを構成する複数のアンテナ素子）を有し、ＷＬＡＮ通信インタフェース７１４による無線信号の送信及び受信のために使用される。
【０３０４】
Ｂｌｕｅｔｏｏｔｈ通信インタフェース７１７は、Ｂｌｕｅｔｏｏｔｈ規格のうちの１つ以上をサポートし、無線通信を実行する。Ｂｌｕｅｔｏｏｔｈ通信インタフェース７１７は、他の装置と直接的に通信し得る。Ｂｌｕｅｔｏｏｔｈ通信インタフェース７１７は、典型的には、ＢＢプロセッサ及びＲＦ回路などを含み得る。Ｂｌｕｅｔｏｏｔｈ通信インタフェース７１７は、通信制御プログラムを記憶するメモリ、当該プログラムを実行するプロセッサ及び関連する回路を集積したワンチップのモジュールであってもよい。アンテナスイッチ７１８は、Ｂｌｕｅｔｏｏｔｈ通信インタフェース７１７に含まれる複数の回路の間でアンテナ７１９の接続先を切り替える。アンテナ７１９は、単一の又は複数のアンテナ素子を有し、Ｂｌｕｅｔｏｏｔｈ通信インタフェース７１７による無線信号の送信及び受信のために使用される。
【０３０５】
図２８に示されるように、スマートフォン７００は、移動体通信インタフェース７１１、ＷＬＡＮ通信インタフェース７１４及びＢｌｕｅｔｏｏｔｈ通信インタフェース７１７の各々に対応するアンテナを有してもよい。なお、図２８の例に限定されず、スマートフォン７００は、移動体通信インタフェース７１１、ＷＬＡＮ通信インタフェース７１４及びＢｌｕｅｔｏｏｔｈ通信インタフェース７１７のうちの２つ以上に対応する共用のアンテナを有してもよい。一例として、スマートフォン７００は、アンテナスイッチ７１５及びアンテナ７１６と、アンテナスイッチ７１８及びアンテナ７１９とを含む代わりに、ＷＬＡＮ通信インタフェース７１４及びＢｌｕｅｔｏｏｔｈ通信インタフェース７１７に対応する共用のアンテナ及びアンテナスイッチを有してもよい。そして、当該共用のアンテナは、当該アンテナスイッチにより、ＷＬＡＮ通信インタフェース７１４及びＢｌｕｅｔｏｏｔｈ通信インタフェース７１７の一方に接続されてもよい。
【０３０６】
また、図２８に示されるように、スマートフォン７００は、移動体通信インタフェース７１１、ＷＬＡＮ通信インタフェース７１４及びＢｌｕｅｔｏｏｔｈ通信インタフェース７１７を別々のモジュールとして有してもよい。なお、図２８の例に限定されず、スマートフォン７００は、移動体通信インタフェース７１１、ＷＬＡＮ通信インタフェース７１４及びＢｌｕｅｔｏｏｔｈ通信インタフェース７１７のうちの２つ以上を含むワンチップのモジュールを有してもよい。この場合に、スマートフォン７００は、通信インタフェース間で共用のアンテナ及びアンテナスイッチを含んでもよく、又は通信インタフェースの各々に対応するアンテナを含んでもよい。
【０３０７】
なお、アンテナスイッチ７１２、アンテナスイッチ７１５及びアンテナスイッチ７１８は、スマートフォン７００の構成から省略されてもよい。
【０３０８】
バス７２０は、プロセッサ７０１、メモリ７０２、ストレージ７０３、外部接続インタフェース７０４、カメラ７０５、センサ７０６、マイクロフォン７０７、入力デバイス７０８、表示デバイス７０９、スピーカ７１０、移動体通信インタフェース７１１、ＷＬＡＮ通信インタフェース７１４、Ｂｌｕｅｔｏｏｔｈ通信インタフェース７１７及び補助コントローラ７２２を互いに接続する。バッテリー７２１は、図中に破線で部分的に示した給電ラインを介して、図２８に示したスマートフォン７００の各ブロックへ電力を供給する。補助コントローラ７２２は、例えば、スリープモードにおいて、スマートフォン７００の必要最低限の機能を動作させる。
【０３０９】
図２８に示したスマートフォン７００において、図２１を参照して説明した判定結果取得部４５３及び切替制御部４５５は、プロセッサ７０１及び／又は補助コントローラ７２２において実装されてもよい。より具体的には、例えば、判定結果取得部４５３及び切替制御部４５５は、プロセッサ７０１により実行されるプログラムを記憶するメモリ７０２及びプロセッサ７０１、並びに／又は補助コントローラ７２２により、実装されてもよい。当該プログラムは、ＯＳ、デバイスドライバ及び／又はアプリケーションソフトウェアなどであってもよい。また、これらの機能の少なくとも一部は、移動体通信インタフェース７１１、ＷＬＡＮ通信インタフェース７１４及び／又はＢｌｕｅｔｏｏｔｈ通信インタフェース７１７において実装されてもよい。
【０３１０】
同様に、図２１を参照して説明した判定部４５１も、プロセッサ７０１及び／又は補助コントローラ７２２において実装されてもよい。また、この機能の少なくとも一部は、移動体通信インタフェース７１１、ＷＬＡＮ通信インタフェース７１４及び／又はＢｌｕｅｔｏｏｔｈ通信インタフェース７１７において実装されてもよい。
【０３１１】
（第２の応用例）
図２９は、本開示に係る技術が適用され得るカーナビゲーション装置７３０の概略的な構成の一例を示すブロック図である。カーナビゲーション装置７３０は、プロセッサ７３１、メモリ７３２、ＧＰＳ（Global  Positioning  System）モジュール７３３、センサ７３４、データインタフェース７３５、コンテンツプレーヤ７３６、記憶媒体インタフェース７３７、入力デバイス７３８、表示デバイス７３９、スピーカ７４０、移動体通信インタフェース７４１、アンテナスイッチ７４２、アンテナ７４３、ＷＬＡＮ通信インタフェース７４４、アンテナスイッチ７４５、アンテナ７４６、Ｂｌｕｅｔｏｏｔｈ通信インタフェース７４７、アンテナスイッチ７４８、アンテナ７４９及びバッテリー７５０を備える。
【０３１２】
プロセッサ７３１は、例えばＣＰＵ又はＳｏＣであってよく、カーナビゲーション装置７３０のナビゲーション機能及びその他の機能を制御する。メモリ７３２は、ＲＡＭ及びＲＯＭを含み、プロセッサ７３１により実行されるプログラム及びデータを記憶する。
【０３１３】
ＧＰＳモジュール７３３は、ＧＰＳ衛星から受信されるＧＰＳ信号を用いて、カーナビゲーション装置７３０の位置（例えば、緯度、経度及び高度）を測定する。センサ７３４は、例えば、ジャイロセンサ、地磁気センサ及び気圧センサなどのセンサ群を含み得る。データインタフェース７３５は、例えば、図示しない端子を介して車載ネットワーク７６１に接続され、車速データなどの車両側で生成されるデータを取得する。
【０３１４】
コンテンツプレーヤ７３６は、記憶媒体インタフェース７３７に挿入される記憶媒体（例えば、ＣＤ又はＤＶＤ）に記憶されているコンテンツを再生する。入力デバイス７３８は、例えば、表示デバイス７３９の画面上へのタッチを検出するタッチセンサ、ボタン又はスイッチなどを含み、ユーザからの操作又は情報入力を受け付ける。表示デバイス７３９は、ＬＣＤ又はＯＬＥＤディスプレイなどの画面を有し、ナビゲーション機能又は再生されるコンテンツの画像を表示する。スピーカ７４０は、ナビゲーション機能又は再生されるコンテンツの音声を出力する。
【０３１５】
移動体通信インタフェース７４１は、ＬＴＥ又はＬＴＥ−Ａｄｖａｎｃｅｄなどのいずれかのセルラー通信方式をサポートし、無線通信を実行する。移動体通信インタフェース７４１は、典型的には、ＢＢプロセッサ及びＲＦ回路などを含み得る。ＢＢプロセッサは、例えば、符号化／復号、変調／復調及び多重化／逆多重化などを行なってよく、無線通信のための様々な信号処理を実行する。一方、ＲＦ回路は、ミキサ、フィルタ及びアンプなどを含んでもよく、アンテナ７４３を介して無線信号を送受信する。移動体通信インタフェース７４１は、ＢＢプロセッサ及びＲＦ回路を集積したワンチップのモジュールであってもよい。移動体通信インタフェース７４１は、単一のＢＢプロセッサを含んでもよく、又は複数のＢＢプロセッサを含んでもよい。また、移動体通信インタフェース７４１は、単一のＲＦ回路を含んでもよく、又は複数のＲＦ回路を含んでもよい。アンテナスイッチ７４２は、移動体通信インタフェース７４１に含まれる複数の回路の間でアンテナ７４３の接続先を切り替える。アンテナ７４３は、単一の又は複数のアンテナ素子（例えば、ＭＩＭＯアンテナを構成する複数のアンテナ素子）を有し、移動体通信インタフェース７４１による無線信号の送受信のために使用される。
【０３１６】
ＷＬＡＮ通信インタフェース７４４は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース７４４は、インフラストラクチャーモードにおいては、他の装置とＷＬＡＮアクセスポイントを介して通信し得る。また、ＷＬＡＮ通信インタフェース７４４は、アドホックモードにおいては、他の装置と直接的に通信し得る。ＷＬＡＮ通信インタフェース７４４は、典型的には、ＢＢプロセッサ及びＲＦ回路などを含み得る。ＷＬＡＮ通信インタフェース７４４は、通信制御プログラムを記憶するメモリ、当該プログラムを実行するプロセッサ及び関連する回路を集積したワンチップのモジュールであってもよい。アンテナスイッチ７４５は、ＷＬＡＮ通信インタフェース７４４に含まれる複数の回路の間でアンテナ７４６の接続先を切り替える。アンテナ７４６は、単一の又は複数のアンテナ素子（例えば、ＭＩＭＯアンテナを構成する複数のアンテナ素子）を有し、ＷＬＡＮ通信インタフェース７４４による無線信号の送信及び受信のために使用される。
【０３１７】
Ｂｌｕｅｔｏｏｔｈ通信インタフェース７４７は、Ｂｌｕｅｔｏｏｔｈ規格のうちの１つ以上をサポートし、無線通信を実行する。Ｂｌｕｅｔｏｏｔｈ通信インタフェース７４７は、他の装置と直接的に通信し得る。Ｂｌｕｅｔｏｏｔｈ通信インタフェース７４７は、典型的には、ＢＢプロセッサ及びＲＦ回路などを含み得る。Ｂｌｕｅｔｏｏｔｈ通信インタフェース７４７は、通信制御プログラムを記憶するメモリ、当該プログラムを実行するプロセッサ及び関連する回路を集積したワンチップのモジュールであってもよい。アンテナスイッチ７４８は、Ｂｌｕｅｔｏｏｔｈ通信インタフェース７４７に含まれる複数の回路の間でアンテナ７４９の接続先を切り替える。アンテナ７４９は、単一の又は複数のアンテナ素子を有し、Ｂｌｕｅｔｏｏｔｈ通信インタフェース７４７による無線信号の送信及び受信のために使用される。
【０３１８】
図２９に示されるように、カーナビゲーション装置７３０は、移動体通信インタフェース７４１、ＷＬＡＮ通信インタフェース７４４及びＢｌｕｅｔｏｏｔｈ通信インタフェース７４７の各々に対応するアンテナを有してもよい。なお、図２９の例に限定されず、カーナビゲーション装置７３０は、移動体通信インタフェース７４１、ＷＬＡＮ通信インタフェース７４４及びＢｌｕｅｔｏｏｔｈ通信インタフェース７４７のうちの２つ以上に対応する共用のアンテナを有してもよい。一例として、カーナビゲーション装置７３０は、アンテナスイッチ７４５及びアンテナ７４６と、アンテナスイッチ７４８及びアンテナ７４９とを含む代わりに、ＷＬＡＮ通信インタフェース７４４及びＢｌｕｅｔｏｏｔｈ通信インタフェース７４７に対応する共用のアンテナ及びアンテナスイッチを有してもよい。そして、当該共用のアンテナは、当該アンテナスイッチにより、ＷＬＡＮ通信インタフェース７４４及びＢｌｕｅｔｏｏｔｈ通信インタフェース７４７の一方に接続されてもよい。
【０３１９】
また、図２９に示されるように、カーナビゲーション装置７３０は、移動体通信インタフェース７４１、ＷＬＡＮ通信インタフェース７４４及びＢｌｕｅｔｏｏｔｈ通信インタフェース７４７を別々のモジュールとして有してもよい。なお、図２９の例に限定されず、カーナビゲーション装置７３０は、移動体通信インタフェース７４１、ＷＬＡＮ通信インタフェース７４４及びＢｌｕｅｔｏｏｔｈ通信インタフェース７４７のうちの２つ以上を含むワンチップのモジュールを有してもよい。この場合に、カーナビゲーション装置７３０は、通信インタフェース間で共用のアンテナ及びアンテナスイッチを含んでもよく、又は通信インタフェースの各々に対応するアンテナを含んでもよい。
【０３２０】
なお、アンテナスイッチ７４２、アンテナスイッチ７４５及びアンテナスイッチ７４８は、カーナビゲーション装置７３０の構成から省略されてもよい。
【０３２１】
バッテリー７５０は、図中に破線で部分的に示した給電ラインを介して、図２９に示したカーナビゲーション装置７３０の各ブロックへ電力を供給する。また、バッテリー７５０は、車両側から給電される電力を蓄積する。
【０３２２】
図２９に示したカーナビゲーション装置７３０において、図２１を参照して説明した判定結果取得部４５３及び切替制御部４５５は、プロセッサ７３１において実装されてもよい。より具体的には、例えば、判定結果取得部４５３及び切替制御部４５５は、プロセッサ７３１により実行されるプログラムを記憶するメモリ７３２とプロセッサ７３１とにより実装されてもよい。当該プログラムは、ＯＳ、デバイスドライバ及び／又はアプリケーションソフトウェアなどであってもよい。また、これらの機能の少なくとも一部は、移動体通信インタフェース７４１、ＷＬＡＮ通信インタフェース７４４及び／又はＢｌｕｅｔｏｏｔｈ通信インタフェース７４７において実装されてもよい。
【０３２３】
同様に、図２１を参照して説明した判定部４５１も、プロセッサ７３１において実装されてもよい。また、この機能の少なくとも一部は、移動体通信インタフェース７４１、ＷＬＡＮ通信インタフェース７４４及び／又はＢｌｕｅｔｏｏｔｈ通信インタフェース７４７において実装されてもよい。
【０３２４】
また、本開示に係る技術は、上述したカーナビゲーション装置７３０の１つ以上のブロックと、車載ネットワーク７６１と、車両側モジュール７６２とを含む車載システム（又は車両）７６０として実現されてもよい。車両側モジュール７６２は、車速、エンジン回転数又は故障情報などの車両側データを生成し、生成したデータを車載ネットワーク７６１へ出力する。
【０３２５】
＜６．４．無線通信端末に関する応用例＞
次に、図３０及び図３１を参照して、無線通信端末３００の応用例を説明する。
【０３２６】
例えば、無線通信端末３００は、タブレットＰＣ、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、無線通信端末３００は、スマートメータ、自動販売機、遠隔監視装置又はＰＯＳ（Point  Of  Sale）端末などの、Ｍ２Ｍ通信を行う端末（ＭＴＣ端末ともいう）として実現されてもよい。さらに、無線通信端末３００は、これら端末に搭載される無線通信モジュール（例えば、１つのダイで構成される集積回路モジュール）であってもよい。
【０３２７】
（第１の応用例）
図３０は、本開示に係る技術が適用され得るタブレット端末８００の概略的な構成の一例を示すブロック図である。タブレット端末８００は、プロセッサ８０１、メモリ８０２、ストレージ８０３、外部接続インタフェース８０４、カメラ８０５、センサ８０６、マイクロフォン８０７、入力デバイス８０８、表示デバイス８０９、スピーカ８１０、ＷＬＡＮ通信インタフェース８１１、アンテナスイッチ８１２、アンテナ８１３、Ｂｌｕｅｔｏｏｔｈ通信インタフェース８１４、アンテナスイッチ８１５、アンテナ８１６、バス８１７、バッテリー８１８及び補助コントローラ８１９を備える。
【０３２８】
プロセッサ８０１は、例えばＣＰＵ又はＳｏＣであってよく、タブレット端末８００のアプリケーションレイヤ及びその他のレイヤの機能を制御する。メモリ８０２は、ＲＡＭ及びＲＯＭを含み、プロセッサ８０１により実行されるプログラム及びデータを記憶する。ストレージ８０３は、半導体メモリ又はハードディスクなどの記憶媒体を含み得る。外部接続インタフェース８０４は、メモリーカード又はＵＳＢデバイスなどの外付けデバイスをタブレット端末８００へ接続するためのインタフェースである。
【０３２９】
カメラ８０５は、例えば、ＣＣＤ又はＣＭＯＳなどの撮像素子を有し、撮像画像を生成する。センサ８０６は、例えば、測位センサ、ジャイロセンサ、地磁気センサ及び加速度センサなどのセンサ群を含み得る。マイクロフォン８０７は、タブレット端末８００へ入力される音声を音声信号へ変換する。入力デバイス８０８は、例えば、表示デバイス８０９の画面上へのタッチを検出するタッチセンサ、キーパッド、キーボード、ボタン又はスイッチなどを含み、ユーザからの操作又は情報入力を受け付ける。表示デバイス８０９は、液晶ディスプレイ（ＬＣＤ）又は有機発光ダイオード（ＯＬＥＤ）ディスプレイなどの画面を有し、タブレット端末８００の出力画像を表示する。スピーカ８１０は、タブレット端末８００から出力される音声信号を音声に変換する。
【０３３０】
ＷＬＡＮ通信インタフェース８１１は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース８１１は、インフラストラクチャーモードにおいては、他の装置とＷＬＡＮアクセスポイントを介して通信し得る。また、ＷＬＡＮ通信インタフェース８１１は、アドホックモードにおいては、他の装置と直接的に通信し得る。ＷＬＡＮ通信インタフェース８１１は、典型的には、ＢＢプロセッサ及びＲＦ回路などを含み得る。ＷＬＡＮ通信インタフェース８１１は、通信制御プログラムを記憶するメモリ、当該プログラムを実行するプロセッサ及び関連する回路を集積したワンチップのモジュールであってもよい。アンテナスイッチ８１２は、ＷＬＡＮ通信インタフェース８１１に含まれる複数の回路の間でアンテナ８１３の接続先を切り替える。アンテナ８１３は、単一の又は複数のアンテナ素子（例えば、ＭＩＭＯアンテナを構成する複数のアンテナ素子）を有し、ＷＬＡＮ通信インタフェース８１１による無線信号の送信及び受信のために使用される。
【０３３１】
Ｂｌｕｅｔｏｏｔｈ通信インタフェース８１４は、Ｂｌｕｅｔｏｏｔｈ規格のうちの１つ以上をサポートし、無線通信を実行する。Ｂｌｕｅｔｏｏｔｈ通信インタフェース８１４は、他の装置と直接的に通信し得る。Ｂｌｕｅｔｏｏｔｈ通信インタフェース８１４は、典型的には、ＢＢプロセッサ及びＲＦ回路などを含み得る。Ｂｌｕｅｔｏｏｔｈ通信インタフェース８１４は、通信制御プログラムを記憶するメモリ、当該プログラムを実行するプロセッサ及び関連する回路を集積したワンチップのモジュールであってもよい。アンテナスイッチ８１５は、Ｂｌｕｅｔｏｏｔｈ通信インタフェース８１４に含まれる複数の回路の間でアンテナ８１６の接続先を切り替える。アンテナ８１６は、単一の又は複数のアンテナ素子を有し、Ｂｌｕｅｔｏｏｔｈ通信インタフェース８１４による無線信号の送信及び受信のために使用される。
【０３３２】
図３０に示されるように、タブレット端末８００は、ＷＬＡＮ通信インタフェース８１１及びＢｌｕｅｔｏｏｔｈ通信インタフェース８１４の各々に対応するアンテナを有してもよい。なお、図３０の例に限定されず、タブレット端末８００は、ＷＬＡＮ通信インタフェース８１１及びＢｌｕｅｔｏｏｔｈ通信インタフェース８１４に対応する共用のアンテナを有してもよい。具体的には、タブレット端末８００は、アンテナスイッチ８１２及びアンテナ８１３と、アンテナスイッチ８１５及びアンテナ８１６とを含む代わりに、ＷＬＡＮ通信インタフェース８１１及びＢｌｕｅｔｏｏｔｈ通信インタフェース８１４に対応する共用のアンテナ及びアンテナスイッチを有してもよい。そして、当該共用のアンテナは、当該アンテナスイッチにより、ＷＬＡＮ通信インタフェース８１１及びＢｌｕｅｔｏｏｔｈ通信インタフェース８１４の一方に接続されてもよい。
【０３３３】
また、図３０に示されるように、タブレット端末８００は、ＷＬＡＮ通信インタフェース８１１及びＢｌｕｅｔｏｏｔｈ通信インタフェース８１４を別々のモジュールとして有してもよい。なお、図３０の例に限定されず、タブレット端末８００は、ＷＬＡＮ通信インタフェース８１１及びＢｌｕｅｔｏｏｔｈ通信インタフェース８１４を含むワンチップのモジュールを有してもよい。この場合に、タブレット端末８００は、通信インタフェース間で共用のアンテナ及びアンテナスイッチを含んでもよく、又は通信インタフェースの各々に対応するアンテナを含んでもよい。
【０３３４】
なお、アンテナスイッチ８１２及びアンテナスイッチ８１５は、タブレット端末８００の構成から省略されてもよい。
【０３３５】
バス８２０は、プロセッサ８０１、メモリ８０２、ストレージ８０３、外部接続インタフェース８０４、カメラ８０５、センサ８０６、マイクロフォン８０７、入力デバイス８０８、表示デバイス８０９、スピーカ８１０、ＷＬＡＮ通信インタフェース８１１、Ｂｌｕｅｔｏｏｔｈ通信インタフェース８１４及び補助コントローラ８１９を互いに接続する。バッテリー８１８は、図中に破線で部分的に示した給電ラインを介して、図３０に示したタブレット端末８００の各ブロックへ電力を供給する。補助コントローラ８１９は、例えば、スリープモードにおいて、タブレット端末８００の必要最低限の機能を動作させる。
【０３３６】
図３０に示したタブレット端末８００において、図１５を参照して説明した判定結果取得部３４３及び切替制御部３４５は、プロセッサ８０１及び／又は補助コントローラ８１９において実装されてもよい。より具体的には、例えば、判定結果取得部３４３及び切替制御部３４５は、プロセッサ８０１により実行されるプログラムを記憶するメモリ８０２及びプロセッサ８０１、並びに／又は補助コントローラ８１９により、実装されてもよい。当該プログラムは、ＯＳ、デバイスドライバ及び／又はアプリケーションソフトウェアなどであってもよい。また、これらの機能の少なくとも一部は、ＷＬＡＮ通信インタフェース８１１及び／又はＢｌｕｅｔｏｏｔｈ通信インタフェース８１４において実装されてもよい。
【０３３７】
同様に、図１５を参照して説明した判定部３４１も、プロセッサ８０１及び／又は補助コントローラ８１９において実装されてもよい。また、この機能の少なくとも一部は、ＷＬＡＮ通信インタフェース８１１及び／又はＢｌｕｅｔｏｏｔｈ通信インタフェース８１４において実装されてもよい。
【０３３８】
なお、タブレット端末８００は、プロセッサ８０１がアプリケーションレベルでアクセスポイント機能を実行することにより、無線アクセスポイント（ソフトウェアＡＰ）として動作してもよい。また、ＷＬＡＮ通信インタフェース８１１が無線アクセスポイント機能を有していてもよい。
【０３３９】
（第２の応用例）
図３１は、本開示に係る技術が適用され得るカーナビゲーション装置８３０の概略的な構成の一例を示すブロック図である。カーナビゲーション装置８３０は、プロセッサ８３１、メモリ８３２、ＧＰＳモジュール８３３、センサ８３４、データインタフェース８３５、コンテンツプレーヤ８３６、記憶媒体インタフェース８３７、入力デバイス８３８、表示デバイス８３９、スピーカ８４０、ＷＬＡＮ通信インタフェース８４１、アンテナスイッチ８４２、アンテナ８４３、Ｂｌｕｅｔｏｏｔｈ通信インタフェース８４４、アンテナスイッチ８４５、アンテナ８４６及びバッテリー８４７を備える。
【０３４０】
プロセッサ８３１は、例えばＣＰＵ又はＳｏＣであってよく、カーナビゲーション装置７３０のナビゲーション機能及びその他の機能を制御する。メモリ８３２は、ＲＡＭ及びＲＯＭを含み、プロセッサ８３１により実行されるプログラム及びデータを記憶する。
【０３４１】
ＧＰＳモジュール８３３は、ＧＰＳ衛星から受信されるＧＰＳ信号を用いて、カーナビゲーション装置８３０の位置（例えば、緯度、経度及び高度）を測定する。センサ８３４は、例えば、ジャイロセンサ、地磁気センサ及び気圧センサなどのセンサ群を含み得る。データインタフェース８３５は、例えば、図示しない端子を介して車載ネットワーク８６１に接続され、車速データなどの車両側で生成されるデータを取得する。
【０３４２】
コンテンツプレーヤ８３６は、記憶媒体インタフェース８３７に挿入される記憶媒体（例えば、ＣＤ又はＤＶＤ）に記憶されているコンテンツを再生する。入力デバイス８３８は、例えば、表示デバイス８３９の画面上へのタッチを検出するタッチセンサ、ボタン又はスイッチなどを含み、ユーザからの操作又は情報入力を受け付ける。表示デバイス８３９は、ＬＣＤ又はＯＬＥＤディスプレイなどの画面を有し、ナビゲーション機能又は再生されるコンテンツの画像を表示する。スピーカ８４０は、ナビゲーション機能又は再生されるコンテンツの音声を出力する。
【０３４３】
ＷＬＡＮ通信インタフェース８４１は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース８４１は、インフラストラクチャーモードにおいては、他の装置とＷＬＡＮアクセスポイントを介して通信し得る。また、ＷＬＡＮ通信インタフェース８４１は、アドホックモードにおいては、他の装置と直接的に通信し得る。ＷＬＡＮ通信インタフェース８４１は、典型的には、ＢＢプロセッサ及びＲＦ回路などを含み得る。ＷＬＡＮ通信インタフェース８４１は、通信制御プログラムを記憶するメモリ、当該プログラムを実行するプロセッサ及び関連する回路を集積したワンチップのモジュールであってもよい。アンテナスイッチ８４２は、ＷＬＡＮ通信インタフェース８４１に含まれる複数の回路の間でアンテナ８４３の接続先を切り替える。アンテナ８４３は、単一の又は複数のアンテナ素子（例えば、ＭＩＭＯアンテナを構成する複数のアンテナ素子）を有し、ＷＬＡＮ通信インタフェース８４１による無線信号の送信及び受信のために使用される。
【０３４４】
Ｂｌｕｅｔｏｏｔｈ通信インタフェース８４４は、Ｂｌｕｅｔｏｏｔｈ規格のうちの１つ以上をサポートし、無線通信を実行する。Ｂｌｕｅｔｏｏｔｈ通信インタフェース８４４は、他の装置と直接的に通信し得る。Ｂｌｕｅｔｏｏｔｈ通信インタフェース８４４は、典型的には、ＢＢプロセッサ及びＲＦ回路などを含み得る。Ｂｌｕｅｔｏｏｔｈ通信インタフェース８４４は、通信制御プログラムを記憶するメモリ、当該プログラムを実行するプロセッサ及び関連する回路を集積したワンチップのモジュールであってもよい。アンテナスイッチ８４５は、Ｂｌｕｅｔｏｏｔｈ通信インタフェース８４４に含まれる複数の回路の間でアンテナ８４６の接続先を切り替える。アンテナ８４６は、単一の又は複数のアンテナ素子を有し、Ｂｌｕｅｔｏｏｔｈ通信インタフェース８４４による無線信号の送信及び受信のために使用される。
【０３４５】
図３１に示されるように、カーナビゲーション装置８３０は、ＷＬＡＮ通信インタフェース８４１及びＢｌｕｅｔｏｏｔｈ通信インタフェース８４４の各々に対応するアンテナを有してもよい。なお、図３１の例に限定されず、カーナビゲーション装置８３０は、ＷＬＡＮ通信インタフェース８４１及びＢｌｕｅｔｏｏｔｈ通信インタフェース８４４に対応する共用のアンテナを有してもよい。具体的には、カーナビゲーション装置８３０は、アンテナスイッチ８４２及びアンテナ８４３と、アンテナスイッチ８４５及びアンテナ８４６とを含む代わりに、ＷＬＡＮ通信インタフェース８４１及びＢｌｕｅｔｏｏｔｈ通信インタフェース８４４に対応する共用のアンテナ及びアンテナスイッチを有してもよい。そして、当該共用のアンテナは、当該アンテナスイッチにより、ＷＬＡＮ通信インタフェース８４１及びＢｌｕｅｔｏｏｔｈ通信インタフェース８４４の一方に接続されてもよい。
【０３４６】
また、図３１に示されるように、カーナビゲーション装置８３０は、ＷＬＡＮ通信インタフェース８４１及びＢｌｕｅｔｏｏｔｈ通信インタフェース８４４を別々のモジュールとして有してもよい。なお、図３１の例に限定されず、カーナビゲーション装置８３０は、ＷＬＡＮ通信インタフェース８４１及びＢｌｕｅｔｏｏｔｈ通信インタフェース８４４を含むワンチップのモジュールを有してもよい。この場合に、カーナビゲーション装置８３０は、通信インタフェース間で共用のアンテナ及びアンテナスイッチを含んでもよく、又は通信インタフェースの各々に対応するアンテナを含んでもよい。
【０３４７】
なお、アンテナスイッチ８４２及びアンテナスイッチ８４５は、カーナビゲーション装置８３０の構成から省略されてもよい。
【０３４８】
バッテリー８４７は、図中に破線で部分的に示した給電ラインを介して、図３１に示したカーナビゲーション装置８３０の各ブロックへ電力を供給する。また、バッテリー８４７は、車両側から給電される電力を蓄積する。
【０３４９】
図３１に示したカーナビゲーション装置８３０において、図１５を参照して説明した判定結果取得部３４３及び切替制御部３４５は、プロセッサ８３１において実装されてもよい。より具体的には、例えば、判定結果取得部３４３及び切替制御部３４５は、プロセッサ８３１により実行されるプログラムを記憶するメモリ８３２とプロセッサ８３１とにより実装されてもよい。当該プログラムは、ＯＳ、デバイスドライバ及び／又はアプリケーションソフトウェアなどであってもよい。また、これらの機能の少なくとも一部は、ＷＬＡＮ通信インタフェース８４１及び／又はＢｌｕｅｔｏｏｔｈ通信インタフェース８４４において実装されてもよい。
【０３５０】
同様に、図１５を参照して説明した判定部３４１も、プロセッサ８３１において実装されてもよい。また、この機能の少なくとも一部は、ＷＬＡＮ通信インタフェース８４１及び／又はＢｌｕｅｔｏｏｔｈ通信インタフェース８４４において実装されてもよい。
【０３５１】
また、本開示に係る技術は、上述したカーナビゲーション装置８３０の１つ以上のブロックと、車載ネットワーク８６１と、車両側モジュール８６２とを含む車載システム（又は車両）８６０として実現されてもよい。車両側モジュール８６２は、車速、エンジン回転数又は故障情報などの車両側データを生成し、生成したデータを車載ネットワーク８６１へ出力する。
【０３５２】
＜＜７．参考形態＞＞
続いて、図３２〜図３８を参照して、本開示の参考形態を説明する。
【０３５３】
本開示の参考形態によれば、移動体通信端末は、無線通信ネットワークのサービスエリアの密度を示す密度情報に基づいて、上記移動体通信端末及び無線通信端末がサポートする無線通信方式での通信についての省電力モードに関する周期を決定する。これにより、例えば、移動体通信端末の消費電力を抑えつつ通信を速やかに切り替えることが可能になる。より具体的には、上記移動体通信端末が消費電力を抑えつつ、上記無線通信端末がテザリングによる通信へ通信を素早く切替えることが可能になる。
【０３５４】
＜７．１．通信システムの構成＞
まず、図３２を参照して、本開示の参考形態第に係る通信システムの概略的な構成を説明する。図３２は、本開示の参考形態に係る通信システムの概略的な構成の一例を示す説明図である。図３２を参照すると、通信システムは、移動体通信ネットワーク３０、無線通信ネットワーク４０、移動体通信端末１５００及び無線通信端末６０を含む。
【０３５５】
なお、移動体通信ネットワーク３０、無線通信ネットワーク４０及び無線通信端末６０についての説明は、本開示の第１の実施形態におけるこれらの説明と同一である。よって、ここでは重複する説明を省略する。
【０３５６】
（移動体通信端末１５００）
移動体通信端末１５００は、移動体通信ネットワーク３０を介して通信する。即ち、移動体通信端末１５００は、移動体通信ネットワーク３０のサービスエリアにおいて移動体通信を行う。具体的には、例えば、移動体通信端末１５００は、移動体通信ネットワーク３０のセル内に位置する場合に、当該セルの基地局と通信する。
【０３５７】
また、移動体通信端末１５００は、上記第１の無線通信方式（例えば、ＷＬＡＮのための通信方式）をサポートし、上記第１の無線通信方式で通信する。
【０３５８】
とりわけ参考形態では、移動体通信端末１５００が、移動体通信端末１５００の消費電力を抑えつつ通信を速やかに切り替えることを可能にする。
【０３５９】
＜７．２．移動体通信端末の構成＞
次に、図３３〜図３５を参照して、参考形態に係る移動体通信端末１５００の一例を説明する。図３３は、参考形態に係る移動体通信端末１５００の構成の一例を示すブロック図である。図３３を参照すると、移動体通信端末１５００は、移動体通信部１５１０、無線通信部１５２０、記憶部１５３０及び処理部１５４０を備える。
【０３６０】
（移動体通信部１５１０）
移動体通信部１５１０は、移動体通信ネットワーク３０を介して通信する。例えば、移動体通信部１５１０は、移動体通信ネットワーク３０の基地局と通信する。
【０３６１】
（無線通信部１５２０）
無線通信部１５２０は、移動体通信端末１５００及び無線通信端末６０によりサポートされる第１の無線通信方式で通信する。上記第１の無線通信方式は、例えば、ＷＬＡＮのための通信方式である。例えば、無線通信部１５２０は、上記第１の無線通信方式で無線通信ネットワーク４０（例えば、ＷＬＡＮ）のアクセスポイントと通信する。また、例えば、無線通信部１５２０は、上記第１の無線通信方式で無線通信端末６０とダイレクトに通信する。
【０３６２】
（記憶部１５３０）
記憶部１５３０は、移動体通信端末１５００の動作のためのプログラム及びデータを一時的にまたは恒久的に記憶する。
【０３６３】
（処理部１５４０）
処理部１５４０は、移動体通信端末１５００の様々な機能を提供する。処理部１５４０は、情報取得部１５４１及び周期決定部１５４３を含む。
【０３６４】
（情報取得部１５４１）
情報取得部１５４１は、無線通信ネットワーク４０のサービスエリアの密度を示す密度情報を取得する。なお、無線通信ネットワーク４０のサービスエリアの密度は、無線通信ネットワーク４０の密度、又は無線通信ネットワーク４０のアクセスポイントの密度と言うこともできる。
【０３６５】
無線通信ネットワーク４０は、例えば、ＷＬＡＮである。この場合に、上記密度情報は、ＷＬＡＮのサービスエリアの密度を示す情報である。
【０３６６】
−密度情報の内容
また、例えば、上記密度情報は、無線通信ネットワーク４０サービスエリアよりも大きいエリアごとの上記サービスエリアの密度を示す情報である。一例として、当該エリアは、移動体通信ネットワーク３０のセルである。以下、図３４及び図３５を参照して、サービスエリアの密度及び密度情報の具体例を説明する。
【０３６７】
図３４は、エリアごとの無線ネットワークのサービスエリアの密度の例を説明するための説明図である。図３４を参照すると、３つのエリア８０Ａ〜８０Ｃが示されている。また、エリア８０Ａ〜８０Ｃの各々には、無線通信ネットワーク４０（例えば、ＷＬＡＮ）のサービスエリア９０が示されている。サービスエリア９０は、アクセスポイント９１との無線通信を行うことが可能なエリアである。個々のサービスエリア９０の直径は、例えば１０〜１００ｍ程度の大きさである。このように個々のサービスエリア９０は小さいので、エリア８０全体をカバーするようにアクセスポイント９１を配置すると、多大なコストがかかる。そのため、例えば、トラフィックが多く又は端末の数が多いエリア８０Ａには、多数のアクセスポイント９１が配置される。また、トラフィックがより少なく又は端末の数がより少ないエリア８０Ｂには、より少ない数のアクセスポイント９１が配置される。また、トラフィックがさらに少なく又は端末の数がさらに少ないエリア８０Ｃには、さらに少ない数のアクセスポイント９１が配置される。結果として、エリア８０Ａにおけるサービスエリア９０の密度は最も高く、エリア８０Ｂにおけるサービスエリア９０の密度がその次に高い。また、エリア８０Ｃにおけるサービスエリア９０の密度は最も低い。
【０３６８】
図３５は、密度情報の例を説明するための説明図である。図３５を参照すると、エリアごとに、エリアの位置情報及び密度情報が示されている。エリアＡ、エリアＢ及びエリアＣは、それぞれ、図３４のエリア８０Ａ、エリア８０Ｂ及びエリア８０Ｃを示す。図３４を参照して説明したように、エリア８０Ａにおけるサービスエリア９０の密度は高いので、エリア８０Ａの密度情報は「高」である。また、エリア８０Ｃにおけるサービスエリア９０の密度は低いので、エリア８０Ｃの密度情報は「低」である。また、エリア８０Ｂの密度情報は「中」である。例えば、このような密度情報及び位置情報が、移動体通信端末１５００に提供される。
【０３６９】
情報取得部１５４１は、例えばこのような密度情報を取得する。なお、無線通信ネットワーク４０のサービスエリアの密度は、無線通信端末６０による無線通信ネットワーク４０への接続が可能かを推定する指標となり得る。例えば、図３４を再び参照すると、エリア８０Ａではサービスエリア９０の密度が高いので、無線通信端末６０は、エリア８０Ａ内では、移動したとしてもいずれかのサービスエリア９０内に位置する可能性が高い。そのため、エリア８０Ａでは、無線通信端末６０は、無線通信ネットワーク４０を介して通信できる可能性が高い。一方、エリア８０Ｃではサービスエリア９０の密度が低いので、無線通信端末６０は、エリア８０Ｃ内では、移動するとサービスエリア９０内に位置しなくなる可能性が高い。そのため、エリア８０Ｃでは、無線通信端末６０は、無線通信ネットワーク４０を介して通信できる可能性が低い。
【０３７０】
−密度情報の取得の手法
例えば、上記密度情報は、移動体通信ネットワーク３０を介して移動体通信端末１５００に提供され、記憶部１５３０に記憶される。そして、情報取得部１５４１は、記憶部１５３０に記憶される上記密度情報を取得する。
【０３７１】
具体的には、例えば、移動体通信端末１５００は、移動体通信ネットワーク３０を介して、上記密度情報を保持する通信ノードに密度情報を要求する。すると、当該通信ノードは、密度情報を移動体通信端末１５００に提供する。一例として、当該通信ノードは、無線通信ネットワーク４０（例えば、ＷＬＡＮ）の通信ノード（例えば、制御ノード）である。
【０３７２】
なお、上記密度情報を提供する上記通信ノードは、無線通信ネットワーク４０（例えば、ＷＬＡＮ）の通信ノードの代わりに、移動体通信ネットワーク３０の通信ノード（例えば、コアネットワークノード又は基地局）であってもく、又は別のノードであってもよい。
【０３７３】
また、上記通信ノードは、移動体通信端末１５００による要求なしで、上記密度情報を移動体通信端末１５００に提供してもよい。例えば、移動体通信端末１５００のハンドオーバなどに応じて、上記通信ノードは、移動体通信端末１５００に上記密度情報を提供してもよい。
【０３７４】
また、上記密度情報は、上記通信ノードにより提供される代わりに、移動体通信端末１５００により生成されてもよい。具体的には、例えば、移動体通信端末１５００は、無線通信ネットワーク４０のアクセスポイントを検出し、検出結果に基づいて密度情報を生成してもよい。
【０３７５】
（周期決定部１５４３）
周期決定部１５４３は、上記密度情報に基づいて、上記第１の無線通信方式での通信についての省電力モードに関する周期を決定する。
【０３７６】
−省電力モードと周期
上記省電力モードは、上記周期ごとに上記第１の無線通信方式での通信が行われ、その他の期間には上記第１の無線通信方式での通信が行われないモードである。即ち、上記周期は、省電力モードにおいて上記第１の無線通信方式での通信が行われ周期である。一例として、上記省電力モードでは、移動体通信端末１５００は、１０ｍｓの区間で信号を送信し、１０ｍｓの区間で信号（例えば、接続のための信号）を待ち受け、８０ｍｓの区間で信号の送受信を行わない。
【０３７７】
−周期の決定の手法
例えば、周期決定部１５４３は、移動体通信端末１５００又は無線通信端末６０の位置を示す情報と、上記密度情報（即ち、無線通信ネットワーク４０のサービスエリアの密度を示す情報）とに基づいて、上記周期を決定する。
【０３７８】
例えば、周期決定部１５４３は、移動体通信端末１５００又は無線通信端末６０の位置が、無線通信ネットワーク４０のサービスエリアの密度がより高いエリア内の位置である場合に、より長い周期を、上記省電力モードに関する上記周期として決定する。また、周期決定部１５４３は、移動体通信端末１５００又は無線通信端末６０の位置が、無線通信ネットワーク４０のサービスエリアの密度がより低いエリア内の位置である場合に、より短い周期を、上記省電力モードに関する上記周期として決定する。
【０３７９】
図３４及び図３５を再び参照すると、移動体通信端末１５００又は無線通信端末６０の位置がエリア８０Ａ内の位置である場合に、周期決定部１５４３は、より長い周期を、上記省電力モードに関する上記周期として決定する。一方、移動体通信端末１５００又は無線通信端末６０の位置がエリア８０Ｃ内の位置である場合に、周期決定部１５４３は、より短い周期を、上記省電力モードに関する上記周期として決定する。
【０３８０】
これにより、移動体通信端末１５００が消費電力を抑えつつ、無線通信端末６０がテザリングによる通信へ通信を素早く切替えることが可能になる。
【０３８１】
より具体的には、例えば、無線通信ネットワーク４０のサービスエリアの密度が低い場合には、無線通信端末６０は、無線通信ネットワーク４０を介して通信することができなくなる可能性が高い。このような場合に、例えば、移動体通信端末１５００は、省電力モードに関する周期として短い周期を決定し、第１の無線通信方式での通信を短い周期で行う。その結果、例えば、無線通信端末６０は、無線通信ネットワーク４０を介した通信から、テザリングによる通信に、通信を素早く切り替えることができる。
【０３８２】
また、例えば、無線通信ネットワーク４０のサービスエリアの密度が高い場合には、無線通信端末６０は、無線通信ネットワーク４０を介して通信することができる可能性が高い。このような場合に、例えば、移動体通信端末１５００は、省電力モードに関する周期として長い周期を決定し、第１の無線通信方式での通信を長い周期で行う。その結果、例えば、移動体通信端末１５００は、上記第１の無線通信方式での通信についての消費電力を抑えることができる。
【０３８３】
＜７．３．処理の流れ＞
次に、図３６〜図３８を参照して、参考形態に係る各処理を説明する。
【０３８４】
（密度情報の提供）
−第１の例
図３６は、密度情報の提供に係る処理の概略的な流れの第１の例を示すシーケンス図である。
【０３８５】
移動体通信端末１５００は、密度情報を要求するための密度情報要求メッセージを、移動体通信ネットワーク３０を介して無線通信ネットワーク４０（例えば、ＷＬＡＮ）の通信ノードへ送信する（Ｓ１６０１）。すると、当該通信ノードは、密度情報を含む密度情報応答メッセージを、移動体通信ネットワーク３０を介して移動体通信端末１５００へ送信する（Ｓ１６０３）。なお、上記密度情報応答メッセージは、例えば、上記密度情報に加えて、各密度に対応するエリアの位置を示す位置情報も含む。
【０３８６】
−第２の例
図３７は、密度情報の提供に係る処理の概略的な流れの第２の例を示すシーケンス図である。
【０３８７】
無線通信ネットワーク４０（例えば、ＷＬＡＮ）の通信ノードは、密度情報を含む密度情報更新メッセージを、移動体通信ネットワーク３０を介して移動体通信端末１５００へ送信する（Ｓ１６１１）。一例として、移動体通信端末１５００のハンドオーバに応じて、このような密度情報更新メッセージが、移動体通信端末１５００に提供される。なお、上記密度情報更新メッセージは、例えば、上記密度情報に加えて、各密度に対応するエリアの位置を示す位置情報も含む。
【０３８８】
（周期の決定）
図３８は、省電力モードに関する周期の決定に係る処理の概略的な流れの一例を示すフローチャートである。当該処理は、移動体通信端末１５００の動作モードが省電力モードである場合に移動体通信端末１５００により実行される処理である。
【０３８９】
まず、周期決定部１５４３は、無線通信ネットワーク４０のサービスエリアの密度を示す密度情報に基づいて、第１の無線通信方式での通信についての省電力モードに関する周期を決定する（Ｓ１６２１）。そして、周期決定部１５４３は、周期の更新に関するフラグを０に設定する（Ｓ１６２３）。
【０３９０】
上記フラグが１である場合には（Ｓ１６２５：ＹＥＳ）、周期決定部１５４３は、上記密度情報に基づいて、上記省電力モードに関する上記周期を新たに決定する（Ｓ１６２７）。即ち、上記周期が更新される。そして、周期決定部１５４３は、タイマをクリアする（Ｓ１６２９）。
【０３９１】
上記フラグが０である場合に（Ｓ１６２５：ＮＯ）、又はタイマがクリアされた（Ｓ１６２９）後に、周期決定部１５４３は、タイマをカウントする（Ｓ１６３１）。
【０３９２】
タイマが一定値以上である場合には（Ｓ１６３３：ＹＥＳ）、又は移動体通信端末１５００又は無線通信端末６０の位置の変化が検出された場合には（Ｓ１６３５：ＹＥＳ）、周期決定部１５４３は、上記フラグを１に設定する（Ｓ１６３７）。そして、処理はステップＳ１６２５へ戻る。
【０３９３】
一方、そうでなければ（Ｓ１６３３：ＮＯ、Ｓ１６３５：ＮＯ）、周期決定部１５４３は、上記フラグを０に設定する（Ｓ１６３９）。そして、処理はステップＳ１６２５へ戻る。
【０３９４】
なお、移動体通信端末１５００の動作モードが省電力モードから通常モードに切り替わると、当該処理は終了する。
【０３９５】
＜７．４．移動体通信端末に関する応用例＞
参考形態に係る移動体通信端末１５００は、スマートフォン、タブレットＰＣ若しくは携帯型／ドングル型のモバイルルータなどのモバイル端末、又はカーナビゲーション装置などの車載端末として実現されてもよい。また、移動体通信端末１５００は、Ｍ２Ｍ通信を行う端末（ＭＴＣ端末ともいう）として実現されてもよい。さらに、移動体通信端末１５００は、これら端末に搭載される無線通信モジュール（例えば、１つのダイで構成される集積回路モジュール）であってもよい。
【０３９６】
例えば、移動体通信端末１５００は、図２８に示されるスマートフォン７００として実装されてもよい。この場合に、図２８に示したスマートフォン７００において、図３３を参照して説明した情報取得部１５４１及び周期決定部１５４３は、プロセッサ７０１及び／又は補助コントローラ７２２において実装されてもよい。より具体的には、例えば、情報取得部１５４１及び周期決定部１５４３は、プロセッサ７０１により実行されるプログラムを記憶するメモリ７０２及びプロセッサ７０１、並びに／又は補助コントローラ７２２により、実装されてもよい。当該プログラムは、ＯＳ、デバイスドライバ及び／又はアプリケーションソフトウェアなどであってもよい。また、これらの機能の少なくとも一部は、移動体通信インタフェース７１１、ＷＬＡＮ通信インタフェース７１４及び／又はＢｌｕｅｔｏｏｔｈ通信インタフェース７１７において実装されてもよい。
【０３９７】
また、例えば、移動体通信端末１５００は、図２９に示されるカーナビゲーション装置７３０として実装されてもよい。この場合に、図２９に示したカーナビゲーション装置７３０において、図３３を参照して説明した情報取得部１５４１及び周期決定部１５４３は、プロセッサ７３１において実装されてもよい。より具体的には、例えば、情報取得部１５４１及び周期決定部１５４３は、プロセッサ７３１により実行されるプログラムを記憶するメモリ７３２とプロセッサ７３１とにより実装されてもよい。当該プログラムは、ＯＳ、デバイスドライバ及び／又はアプリケーションソフトウェアなどであってもよい。また、これらの機能の少なくとも一部は、移動体通信インタフェース７４１、ＷＬＡＮ通信インタフェース７４４及び／又はＢｌｕｅｔｏｏｔｈ通信インタフェース７４７において実装されてもよい。
【０３９８】
＜＜８．まとめ＞＞
ここまで、図３〜図３１を参照して、本開示の実施形態に係る各装置及び各処理を説明した。また、図３２〜図３８を参照して、本開示の参考形態に係る装置及び処理を説明した。
【０３９９】
上述したように、本開示の実施形態に係る通信制御装置は、例えば、移動体通信ネットワーク３０の通信ノード１００を構成する装置、無線通信ネットワーク４０の通信ノード２００を構成する装置、無線通信端末３００及び移動体通信端末４００などの様々な装置であり得る。
【０４００】
−モード切替え制御
本開示に係る実施形態によれば、通信制御装置は、移動体通信ネットワーク３０とは異なる無線通信ネットワーク４０への無線通信端末の接続に関連する所定の条件が満たされるかの判定の結果を取得する情報取得部と、上記所定の条件が満たされる場合に、移動体通信ネットワーク３０を介して通信する移動体通信端末に動作モードを第１のモードから第２のモードに切り替えさせる制御を行う切替制御部と、を備える。上記動作モードは、上記無線通信端末及び上記移動体通信端末がサポートする第１の無線通信方式での通信についての動作モードである。上記第１のモードは、上記第２のモードより消費電力が小さいモードであり、上記第２のモードは、上記移動体通信端末が上記第１の無線通信方式でデータを送信し又は受信することが可能なモードである。
【０４０１】
これにより、移動体通信端末の消費電力を抑えつつ通信を速やかに切り替えることが可能になる。具体的には、例えば、無線通信ネットワーク４０への無線通信端末の接続が切断された場合、又は当該接続が切断されそうな場合に、移動体通信端末において、第１の無線通信方式での通信についての動作モードが通常モードになる。そのため、上記無線通信端末は、テザリングによる通信へ通信を速やかに切り替えることが可能になる。また、無線通信ネットワーク４０への上記無線通信端末の接続が切断されていない場合、又は当該接続が切断されそうではない場合には、上記移動体通信端末において、第１の無線通信方式での通信についての動作モードは、停止モード又は省電力モードでもよい。よって、上記移動体通信端末の消費電力が抑えられつつ、上記無線通信端末の通信が、無線通信ネットワーク４０を介した通信からテザリングによる通信へ速やかに切り替えられ得る。
【０４０２】
−通信切替え制御
さらに、例えば、上記切替制御部は、上記所定の条件が満たされる場合に、上記無線通信端末に無線通信ネットワーク４０を介した第１の通信から上記移動体通信端末及び移動体通信ネットワーク３０を介した第２の通信へ通信を切り替えさせるさらなる制御を行う。
【０４０３】
これにより、無線通信端末の通信を確実に切り替えることが可能になる。
【０４０４】
−所定の条件
例えば、上記所定の条件は、無線通信ネットワーク４０への上記無線通信端末の接続の状態に基づいて判定される条件である。
【０４０５】
これにより、例えば、無線通信ネットワーク４０への無線通信端末の接続が切断された場合に通信が切り替えられ得る。
【０４０６】
また、例えば、上記所定の条件は、無線通信ネットワーク４０における上記無線通信端末の通信についての通信品質に基づいて判定される条件である。
【０４０７】
これにより、例えば、無線通信ネットワーク４０における無線通信端末の通信品質の悪化に応じて通信を切り替えることが可能になる。即ち、無線通信ネットワーク４０への無線通信端末の接続が切断されそうな場合に、通信が切り替えられ得る。
【０４０８】
また、例えば、移動体通信端末５０は、無線通信端末６０に関連付けられ、上記所定の条件は、移動体通信端末５０の移動の状況に基づいて判定される条件である。
【０４０９】
これにより、例えば、移動体通信端末の移動に応じて通信を切り替えることが可能になる。即ち、無線通信ネットワーク４０への無線通信端末６０の接続が切断されそうな場合に、通信が切り替えられ得る。
【０４１０】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０４１１】
例えば、上記所定の条件が１つ以上のＯＲ条件を含み、当該１つ以上のＯＲ条件のいずれかが満たされると、上記所定の条件が満たされる、という例を説明したが、本開示は係る例に限定されない。例えば、上記所定の条件は、１つ以上のＡＮＤ条件を含んでもよく、当該１つ以上のＡＮＤ条件の全てが満たされると、上記所定の条件が満たされてもよい。また、上記１つ以上のＯＲ条件の各々は、１つ以上のＡＮＤ条件を含む条件であってもよい。
【０４１２】
また、例えば、上記所定の条件が満たされるかの判定と動作モードの切替えの制御とが同一の装置により行われる例を説明したが、本開示は係る例に限定されない。例えば、上記判定と上記切替えの制御とが、別々の装置により行われてもよい。
【０４１３】
また、例えば、移動体通信ネットワークとは異なる無線通信ネットワークとして、ＷＬＡＮが挙げられたが、本開示は係る例に限定されない。例えば、上記無線通信ネットワークは、ＷＬＡＮ以外のネットワークであってもよい。
【０４１４】
また、例えば、上記第１の無線通信方式が、ＷＬＡＮのための無線通信方式（即ち、ＷＬＡＮ通信方式）である例を説明したが、本開示は係る例に限定されない。例えば、上記第１の無線通信方式は、ＷＬＡＮ通信方式以外の無線通信方式であってもよい。同様に、上記第２の無線通信方式が、Ｂｌｕｅｔｏｏｔｈである例を説明したが、本開示は係る例に限定されない。例えば、上記第２の無線通信方式は、近距離無線通信の他の無線通信方式であってもよく、又は近距離無線通信以外の通信の無線通信方式であってもよい。
【０４１５】
また、例えば、移動体通信ネットワークが、ＬＴＥ又はＬＴＥ−Ａｄｖａｎｃｅｄに従ったネットワークである例を説明したが、本開示は係る例に限定されない。移動体通信ネットワークは、別の通信規格（例えば、３ＧＰＰの別の通信規格）に従ったネットワークであってもよい。
【０４１６】
また、例えば、本実施形態に係る通信制御装置が、移動体通信ネットワークの通信ノードを構成する装置、無線通信ネットワークの通信ノードを構成する装置、無線通信端末、又は移動体通信端末である、という例を説明したが、本開示は係る例に限定されない。例えば、上記通信制御装置は、その他の装置であってもよい。
【０４１７】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０４１８】
また、通信制御装置に内蔵されるＣＰＵ、ＲＯＭ及びＲＡＭ等のハードウェアに、上記通信制御装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行可能な１つ以上のプロセッサ（例えば、ＣＰＵ、ＤＳＰなど）を備える情報処理装置（例えば、処理回路、チップ）も提供されてもよい。
【０４１９】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０４２０】
なお、以下のような構成も本開示の技術的範囲に属する。
（１）
移動体通信ネットワークとは異なる無線通信ネットワークへの無線通信端末の接続に関連する所定の条件が満たされるかの判定の結果を取得する取得部と、
前記所定の条件が満たされる場合に、前記移動体通信ネットワークを介して通信する移動体通信端末に動作モードを第１のモードから第２のモードに切り替えさせる制御を行う制御部と、
を備え、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードである、
通信制御装置。
（２）
前記制御は、前記第１のモードから前記第２のモードへの前記動作モードの切替えを要求するメッセージの前記移動体通信端末への送信をトリガすることである、前記（１）に記載の通信制御装置。
（３）
前記メッセージは、前記移動体通信ネットワークを介して前記移動体通信端末へ送信されるメッセージである、前記（２）に記載の通信制御装置。
（４）
前記移動体通信端末及び前記無線通信端末は、前記第１の無線通信方式とは異なる第２の無線通信方式もサポートし、
前記メッセージは、前記第２の無線通信方式で前記無線通信端末から前記移動体通信端末へ送信されるメッセージである、
前記（２）に記載の通信制御装置。
（５）
前記第２の無線通信方式は、近距離無線通信の通信方式である、前記（４）に記載の通信制御装置。
（６）
前記制御部は、前記所定の条件が満たされる場合に、前記無線通信端末に前記無線通信ネットワークを介した第１の通信から前記移動体通信端末及び前記移動体通信ネットワークを介した第２の通信へ通信を切り替えさせるさらなる制御を行う、前記（１）〜（５）のいずれか１項に記載の通信制御装置。
（７）
前記さらなる制御は、前記第１の通信から前記第２の通信への通信の切替えを要求するメッセージの前記無線通信端末への送信をトリガすることである、前記（６）に記載の通信制御装置。
（８）
前記通信制御装置は、前記移動体通信ネットワークの通信ノードを構成する装置である、前記（１）〜（７）のいずれか１項に記載の通信制御装置。
（９）
前記通信制御装置は、前記無線通信ネットワークの通信ノードを構成する装置である、前記（１）〜（７）のいずれか１項に記載の通信制御装置。
（１０）
前記通信制御装置は、前記無線通信端末である、前記（１）〜（６）のいずれか１項に記載の通信制御装置。
（１１）
前記通信制御装置は、前記移動体通信端末である、前記（１）〜（７）のいずれか１項に記載の通信制御装置。
（１２）
前記所定の条件は、前記無線通信ネットワークへの前記無線通信端末の接続の状態に基づいて判定される条件である、前記（１）〜（１１）のいずれか１項に記載の通信制御装置。
（１３）
前記所定の条件は、前記無線通信ネットワークにおける前記無線通信端末の通信についての通信品質に基づいて判定される条件である、前記（１）〜（１２）のいずれか１項に記載の通信制御装置。
（１４）
前記通信品質は、前記無線通信ネットワークで前記無線通信端末が送信し又は受信する信号の受信強度、前記無線通信ネットワークにおける前記無線通信端末の通信についてのエラーレート、及び前記無線通信ネットワークにおける前記無線通信端末の通信についての再送回数のうちの、少なくとも１つを含む、前記（１３）に記載の通信制御装置。
（１５）
前記移動体通信端末は、前記無線通信端末に関連付けられ、
前記所定の条件は、前記移動体通信端末の移動の状況に基づいて判定される条件である、前記（１）〜（１４）のいずれか１項に記載の通信制御装置。
（１６）
前記無線通信ネットワークは、無線ローカルエリアネットワーク（ＷＬＡＮ）である、前記（１）〜（１５）のいずれか１項に記載の通信制御装置。
（１７）
前記第１の無線通信方式は、無線ローカルエリアネットワーク（ＷＬＡＮ）のための無線通信方式である、前記（１）〜（１６）のいずれか１項に記載の通信制御装置。
（１８）
移動体通信ネットワークとは異なる無線通信ネットワークへの無線通信端末の接続に関連する所定の条件が満たされるかの判定の結果を取得することと、
前記所定の条件が満たされる場合に、前記移動体通信ネットワークを介して通信する移動体通信端末に動作モードを第１のモードから第２のモードに切り替えさせる制御をプロセッサにより行うことと、
を含み、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードである、
通信制御方法。
（１９）
プログラムを記憶するメモリと、
前記プログラムを実行可能な１つ以上のプロセッサと、
を備え、
前記プログラムは、
移動体通信ネットワークとは異なる無線通信ネットワークへの無線通信端末の接続に関連する所定の条件が満たされるかの判定の結果を取得することと、
前記所定の条件が満たされる場合に、前記移動体通信ネットワークを介して通信する移動体通信端末に動作モードを第１のモードから第２のモードに切り替えさせる制御を行うことと、
を実行させるためのプログラムであり、
前記動作モードは、前記無線通信端末及び前記移動体通信端末がサポートする第１の無線通信方式での通信についての動作モードであり、
前記第１のモードは、前記第２のモードより消費電力が小さいモードであり、
前記第２のモードは、前記移動体通信端末が前記第１の無線通信方式でデータを送信し又は受信することが可能なモードである、
情報処理装置。
【符号の説明】
【０４２１】
３０    移動体通信ネットワーク
４０    無線通信ネットワーク
５０    移動体通信端末
６０    無線通信端末
１００  通信ノード
１３１  判定部
１３３  情報取得部
１３５  切替制御部
２００  通信ノード
２３１  判定部
２３３  情報取得部
２３５  切替制御部
３００  無線通信端末
３４１  判定部
３４３  情報取得部
３４５  切替制御部
４００  移動体通信端末
４５１  判定部
４５３  情報取得部
４５５  切替制御部
【図１】
0006455439.tif 000002
【図２】
0006455439.tif 000003
【図３】
0006455439.tif 000004
【図４】
0006455439.tif 000005
【図５】
0006455439.tif 000006
【図６】
0006455439.tif 000007
【図７】
0006455439.tif 000008
【図８】
0006455439.tif 000009
【図９】
0006455439.tif 000010
【図１０】
0006455439.tif 000011
【図１１】
0006455439.tif 000012
【図１２】
0006455439.tif 000013
【図１３】
0006455439.tif 000014
【図１４】
0006455439.tif 000015
【図１５】
0006455439.tif 000016
【図１６】
0006455439.tif 000017
【図１７】
0006455439.tif 000018
【図１８】
0006455439.tif 000019
【図１９】
0006455439.tif 000020
【図２０】
0006455439.tif 000021
【図２１】
0006455439.tif 000022
【図２２】
0006455439.tif 000023
【図２３】
0006455439.tif 000024
【図２４】
0006455439.tif 000025
【図２５】
0006455439.tif 000026
【図２６】
0006455439.tif 000027
【図２７】
0006455439.tif 000028
【図２８】
0006455439.tif 000029
【図２９】
0006455439.tif 000030
【図３０】
0006455439.tif 000031
【図３１】
0006455439.tif 000032
【図３２】
0006455439.tif 000033
【図３３】
0006455439.tif 000034
【図３４】
0006455439.tif 000035
【図３５】
0006455439.tif 000036
【図３６】
0006455439.tif 000037
【図３７】
0006455439.tif 000038
【図３８】
0006455439.tif 000039